(57)【特許請求の範囲】
【請求項１】
方形の板状をなす導光板であって、
外周端面のうち対辺をなす一対の端面の少なくともいずれか一方の端面からなり、光源からの光が入射される光入射面と、
一対の板面のうちの一方の板面からなり、光を出射させる光出射面と、
前記一対の板面のうち前記光出射面とは反対側の板面からなる反対板面と、
前記反対板面に形成されて光を前記光出射面から出射させるための光反射部からなる光反射パターンであって、前記外周端面のうち対辺をなすとともに前記光入射面を含まない一対の端面に沿う方向を第１方向とし、前記外周端面のうち前記光入射面を含む前記一対の端面に沿う方向を第２方向とした上で、前記反対板面を、少なくとも前記第２方向について中央側の領域と、前記第２方向について端側の領域とに区分したとき、前者よりも後者の方が前記光反射部の分布密度が相対的に高くなり、さらには前記反対板面を、少なくとも前記第１方向について中央側の領域と、前記第１方向について前記光入射面に近い端側の領域とに区分したとき、後者よりも前者の方が前記光反射部の分布密度が相対的に高くなるとともに、前者における前記第２方向についての端側の領域と同中央側の領域との前記光反射部の分布密度の差が、後者における前記第２方向についての端側の領域と同中央側の領域との前記光反射部の分布密度の差よりも相対的に大きくなる分布を有する光反射パターンと、を備え、
前記外周端面のうち対辺をなす一対の端面のうち、一方の端面が前記光入射面とされるのに対し、他方の端面が前記光源からの光が直接入射されることのない反対端面とされており、
前記反対板面を、少なくとも前記第１方向について中央側の第１中央側領域と、前記第１方向について前記光入射面に近い端側の光入射面側領域と、前記第１中央側領域と前記光入射面側領域との間に位置する光入射面側中間領域と、前記第１方向について前記反対端面に近い端側の反対端面側領域と、前記第１中央側領域と前記反対端面側領域との間に位置する反対端面側中間領域と、に区分したとき、
前記光反射パターンは、
前記第１中央側領域における前記第２方向についての端側の領域と同中央側の領域との前記光反射部の分布密度の差が、前記光入射面側領域における前記第２方向についての端側の領域と同中央側の領域との前記光反射部の分布密度の差、前記光入射面側中間領域における前記第２方向についての端側の領域と同中央側の領域との前記光反射部の分布密度の差、よりもそれぞれ大きくなるとともに、
前記反対端面側領域における前記第２方向についての端側の領域と同中央側の領域との前記光反射部の分布密度の差が、前記反対端面側中間領域における前記第２方向についての端側の領域と同中央側の領域との前記光反射部の分布密度の差よりも大きく且つ前記第１中央側領域における前記第２方向についての端側の領域と同中央側の領域との前記光反射部の分布密度の差と同等になるよう形成されている導光板。
【請求項２】
前記反対板面を、少なくとも前記第２方向について中央側の領域と、前記第２方向について端側の領域と、前記第２方向について中央側の領域と端側の領域との間に位置する中間領域とに区分したとき、
前記光反射パターンは、前記第２方向についての端側の領域と同中間領域との間の前記光反射部の分布密度の差が、前記第２方向についての中間領域と同中央側の領域との間の前記光反射部の分布密度の差よりも大きくなるよう形成されている請求項１記載の導光板。
【請求項３】
前記反対板面を、少なくとも前記第１方向について中央側の領域と、前記第１方向について前記光入射面に近い端側の領域と、前記第１方向について中央側の領域と前記光入射面に近い端側の領域との間に位置する中間領域とに区分した上で、前記第１方向について中央側の領域における前記光反射部の分布密度を、前記第２方向について端側の領域、中間領域、中央側の領域の順でＲＤａ，ＲＤｂ，ＲＤｃとし、前記第１方向について前記光入射面に近い端側の領域における前記光反射部の分布密度を、前記第２方向について端側の領域、中間領域、中央側の領域の順でＲＤｄ，ＲＤｅ，ＲＤｆとし、前記第１方向について前記中央側の領域と前記光入射面に近い端側の領域との間に位置する中間領域における前記光反射部の分布密度を、前記第２方向について端側の領域、中間領域、中央側の領域の順でＲＤｇ，ＲＤｈ，ＲＤｉとしたとき、
前記光反射パターンは、前記ＲＤａ〜前記ＲＤｉが下記の式（１），（２）を満たすよう形成されている請求項２記載の導光板。
（（ＲＤｄ−ＲＤｅ）−（ＲＤｅ−ＲＤｆ））＜（（ＲＤａ−ＲＤｂ）−（ＲＤｂ−ＲＤｃ））          （１）
（（ＲＤｇ−ＲＤｈ）−（ＲＤｈ−ＲＤｉ））＜（（ＲＤａ−ＲＤｂ）−（ＲＤｂ−ＲＤｃ））          （２）
【請求項４】
前記反対板面を、少なくとも前記第２方向について中央側の第２中央側領域と、前記第２方向について一方の端側の一端側領域と、前記第２中央側領域と前記一端側領域との間に位置する一端側中間領域と、前記第２方向について他方の端側の他端側領域と、前記第２中央側領域と前記他端側領域との間に位置する他端側中間領域と、に区分したとき、
前記第１中央側領域における前記一端側領域と前記一端側中間領域との前記光反射部の分布密度の差と、前記一端側中間領域と前記第２中央側領域との前記光反射部の分布密度の差との差が、前記光入射面側中間領域における前記一端側領域と前記一端側中間領域との前記光反射部の分布密度の差と、前記一端側中間領域と前記第２中央側領域との前記光反射部の分布密度の差との差、前記光入射面側領域における前記一端側領域と前記一端側中間領域との前記光反射部の分布密度の差と、前記一端側中間領域と前記第２中央側領域との前記光反射部の分布密度の差との差よりもそれぞれ大きくなるとともに、
前記第１中央側領域における前記他端側領域と前記他端側中間領域との前記光反射部の分布密度の差と、前記他端側中間領域と前記第２中央側領域との前記光反射部の分布密度の差との差が、前記光入射面側中間領域における前記他端側領域と前記他端側中間領域との前記光反射部の分布密度の差と、前記他端側中間領域と前記第２中央側領域との前記光反射部の分布密度の差との差、前記光入射面側領域における前記他端側領域と前記他端側中間領域との前記光反射部の分布密度の差と、前記他端側中間領域と前記第２中央側領域との前記光反射部の分布密度の差との差よりもそれぞれ大きくなり、
前記反対端面側領域における前記一端側領域と前記一端側中間領域との前記光反射部の分布密度の差と、前記一端側中間領域と前記第２中央側領域との前記光反射部の分布密度の差との差が、前記反対端面側中間領域における前記一端側領域と前記一端側中間領域との前記光反射部の分布密度の差と、前記一端側中間領域と前記第２中央側領域との前記光反射部の分布密度の差との差よりも大きくなり且つ前記第１中央側領域における前記一端側領域と前記一端側中間領域との前記光反射部の分布密度の差と、前記一端側中間領域と前記第２中央側領域との前記光反射部の分布密度の差との差と同等となるとともに、
前記反対端面側領域における前記他端側領域と前記他端側中間領域との前記光反射部の分布密度の差と、前記他端側中間領域と前記第２中央側領域との前記光反射部の分布密度の差との差が、前記反対端面側中間領域における前記他端側領域と前記他端側中間領域との前記光反射部の分布密度の差と、前記他端側中間領域と前記第２中央側領域との前記光反射部の分布密度の差との差よりも大きくなり且つ前記第１中央側領域における前記他端側領域と前記他端側中間領域との前記光反射部の分布密度の差と、前記他端側中間領域と前記第２中央側領域との前記光反射部の分布密度の差との差と同等となるよう形成されている請求項１から請求項３のいずれか１項に記載の導光板。
【請求項５】
前記光反射パターンは、前記光反射部として反射膜からなるドットを多数前記反対板面に印刷してなり、前記ドットの面積と、前記ドットの配列ピッチとの少なくともいずれか一方を変化させることで、前記光反射部の分布密度を制御している請求項１から請求項４のいずれか１項に記載の導光板。
【請求項６】
請求項１から請求項５のいずれか１項に記載の導光板と、前記光入射面に光を供給する光源と、を少なくとも備える照明装置。
【請求項７】
請求項６に記載の照明装置と、前記照明装置からの光を利用して画像を表示する表示パネルを備える表示装置。
【請求項８】
請求項７に記載の表示装置を備えるテレビ受信装置。
【発明の詳細な説明】
【技術分野】
【０００１】
本発明は、導光板、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型の表示パネルに移行しつつあり、画像表示装置の薄型化を可能としている。液晶表示装置は、これに用いる液晶パネルが自発光しないため、別途に照明装置としてバックライト装置を必要としており、バックライト装置はその機構によって直下型とエッジライト型とに大別されている。液晶表示装置の一層の薄型化を実現するには、導光板を備えたエッジライト型のバックライト装置を用いるのが好ましく、その一例として下記特許文献１に記載されたものが知られている。
【先行技術文献】
【特許文献】
【０００３】
【特許文献１】特開２０１２−２４２６４９号公報
【発明の概要】
【発明が解決しようとする課題】
【０００４】
上記した特許文献１に記載されたバックライト装置は、光を出射する面に、それぞれが独立して存在する略半球状のレンズと、複数配列された連続する幾何学構造体を併せ持つ構造を有し、拡散性の高い略半球状のレンズと集光性の高い幾何学構造体の比率を、シート面内において変化させることで、シート面内の輝度を制御する光学シートを備えており、当該光学シートは、光源からの光を導光する導光板の光出射面側に積層配置されている。
【０００５】
しかしながら、上記した特許文献１においては、導光板とは別途に特殊な構造の光学シートを用いる必要があるため、バックライト装置の部材コストが高くなるという問題があった。また、導光板からの光が特殊な構造の光学シートを透過するため、光が液晶パネルに到達するまでの光路長が長くなるなどの理由から光の利用効率が低下するおそれがあった。
【０００６】
本発明は上記のような事情に基づいて完成されたものであって、特殊な部材を用いることなく輝度分布の均一性を向上させることを目的とする。
【課題を解決するための手段】
【０００７】
本発明の導光板は、方形の板状をなす導光板であって、外周端面のうち対辺をなす一対の端面の少なくともいずれか一方の端面からなり、光源からの光が入射される光入射面と、一対の板面のうちの一方の板面からなり、光を出射させる光出射面と、前記一対の板面のうち前記光出射面とは反対側の板面からなる反対板面と、前記反対板面に形成されて光を前記光出射面から出射させるための光反射部からなる光反射パターンであって、前記外周端面のうち対辺をなすとともに前記光入射面を含まない一対の端面に沿う方向を第１方向とし、前記外周端面のうち前記光入射面を含む前記一対の端面に沿う方向を第２方向とした上で、前記反対板面を、少なくとも前記第２方向について中央側の領域と、前記第２方向について端側の領域とに区分したとき、前者よりも後者の方が前記光反射部の分布密度が相対的に高くなり、さらには前記反対板面を、少なくとも前記第１方向について中央側の領域と、前記第１方向について前記光入射面に近い端側の領域とに区分したとき、後者よりも前者の方が前記光反射部の分布密度が相対的に高くなるとともに、前者における前記第２方向についての端側の領域と同中央側の領域との前記光反射部の分布密度の差が、後者における前記第２方向についての端側の領域と同中央側の領域との前記光反射部の分布密度の差よりも相対的に大きくなる分布を有する光反射パターンと、を備える。
【０００８】
光入射面に入射した光源からの光は、内部を伝播する過程で反対板面に形成された光反射パターンをなす光反射部により反射されることで光出射面からの出射が促され、その出射光量は光反射パターンをなす光反射部の分布密度が高ければ多くなり、低ければ少なくなる傾向とされる。従って、光反射パターンが、反対板面において第１方向について中央側の領域が第１方向について光入射面に近い端側の領域よりも光反射部の分布密度が高くなるよう形成されることで、第１方向について出射光量、つまり輝度の均一性が高められる。そして、光反射パターンは、反対板面において第２方向について中央側の領域よりも第２方向について端側の領域の方が光反射部の分布密度が相対的に高くなる分布を有しているので、第２方向について中央側の領域に多く存在する光を、第２方向について端側に導くことができ、それにより第２方向について輝度の均一性が高められる。
【０００９】
それに加えて、光反射パターンは、反対板面において第１方向について中央側の領域における第２方向についての端側の領域と同中央側の領域との光反射部の分布密度の差が、第１方向について光入射面に近い端側の領域における第２方向についての端側の領域と同中央側の領域との光反射部の分布密度の差よりも相対的に大きくなる分布を有している。このようにすれば、第１方向について光入射面に近い端側の領域では、第１方向について中央側の領域に比べると、第２方向についての中央側の領域から同端側の領域へと光が導入され難くなる。第１方向について光入射面に近い端側の領域における第２方向についての端側の領域では、内部に存在する光量が、第１方向について中央側の領域における第２方向についての端側の領域よりも多くなっていることから、上記のように第２方向についての中央側の領域から同端側の領域へと光が導入され難くすることで、第２方向についての端側の領域において光反射パターンをなす光反射部により反射された光が導光板の光出射面ではない端面から出射されるのが抑制され、それにより光の利用効率が高いものとなる。これに対して、第１方向について中央側の領域では、第１方向について光入射面に近い端側の領域に比べると、第２方向についての中央側の領域から同端側の領域へと光が導入され易くなるので、光量が不足しがちな第２方向についての端側の領域に光が十分に供給され、それにより輝度分布の均一性が高いものとなる。
【００１０】
しかも、当該導光板の製造工程のうち光反射パターンを反対板面に形成する際の製造上の理由から、光反射パターンをなす光反射部の分布密度に濃淡のムラが生じた場合であっても、第２方向について中央側の領域と端側の領域とにおける光反射パターンをなす光反射部の分布密度の差が変動し難くなり、それにより第２方向について中央側において輝度が低下し難くなる。以上のように、従来のような特殊な構造の光学シートを用いることなく、輝度分布の均一性を向上させることができるので、部材コストを低減できるとともに光の利用効率を一層向上させることができる。
【００１１】
本発明の導光板の実施態様として、次の構成が好ましい。
（１）前記反対板面を、少なくとも前記第２方向について中央側の領域と、前記第２方向について端側の領域と、前記第２方向について中央側の領域と端側の領域との間に位置する中間領域とに区分したとき、前記光反射パターンは、前記第２方向についての端側の領域と同中間領域との間の前記光反射部の分布密度の差が、前記第２方向についての中間領域と同中央側の領域との間の前記光反射部の分布密度の差よりも大きくなるよう形成されている。このようにすれば、第２方向についての中間領域と同中央側の領域との間の光反射部の分布密度の差が相対的に小さくなっているから、より多くの光を第２方向について中央側の領域から中間領域を介して端側の領域へと導くことができる。これに対し、第２方向についての端側の領域と同中間領域との間の光反射部の分布密度の差が相対的に大きくなっているから、第２方向について中央側の領域から中間領域を介して端側の領域へと導かれた光を光反射部により反射して光出射面からの出射を促すことで、第２方向について中央側の領域及び中間領域との間に生じ得る輝度差が緩和され、輝度の均一性が高いものとなる。しかも、当該導光板の製造工程のうち光反射パターンを反対板面に形成する際の製造上の理由から、光反射パターンをなす光反射部の分布密度に濃淡のムラが生じた場合であっても、第２方向について中央側の領域と端側の領域と中間領域とにおける光反射パターンをなす光反射部の分布密度の差がより変動し難くなり、それにより第２方向について中央側において輝度がより低下し難くなる。
【００１２】
（２）前記反対板面を、少なくとも前記第１方向について中央側の領域と、前記第１方向について前記光入射面に近い端側の領域と、前記第１方向について中央側の領域と前記光入射面に近い端側の領域との間に位置する中間領域とに区分した上で、前記第１方向について中央側の領域における前記光反射部の分布密度を、前記第２方向について端側の領域、中間領域、中央側の領域の順でＲＤａ，ＲＤｂ，ＲＤｃとし、前記第１方向について前記光入射面に近い端側の領域における前記光反射部の分布密度を、前記第２方向について端側の領域、中間領域、中央側の領域の順でＲＤｄ，ＲＤｅ，ＲＤｆとし、前記第１方向について前記中央側の領域と前記光入射面に近い端側の領域との間に位置する中間領域における前記光反射部の分布密度を、前記第２方向について端側の領域、中間領域、中央側の領域の順でＲＤｇ，ＲＤｈ，ＲＤｉとしたとき、前記光反射パターンは、前記ＲＤａ〜前記ＲＤｉが下記の式（１），（２）を満たすよう形成されている。
【００１３】
（（ＲＤｄ−ＲＤｅ）−（ＲＤｅ−ＲＤｆ））＜（（ＲＤａ−ＲＤｂ）−（ＲＤｂ−ＲＤｃ））          （１）
【００１４】
（（ＲＤｇ−ＲＤｈ）−（ＲＤｈ−ＲＤｉ））＜（（ＲＤａ−ＲＤｂ）−（ＲＤｂ−ＲＤｃ））          （２）
【００１５】
このようにすれば、第１方向について光入射面に近い端側の領域と同中間領域とでは、それぞれ第２方向についての端側の領域と同中間領域との間における光反射部の分布密度の差と、第２方向についての中間領域と同中央側の領域との間における光反射部の分布密度の差との間の差が、第１方向について中央側の領域に比べて相対的に小さくなっているから、相対的に第２方向についての中央側の領域から同中間領域を介して同端側の領域へと光が導入され難くなる。これにより、第１方向について光入射面に近い端側の領域と同中間領域とにおける第２方向についての端側の領域においては、光反射パターンをなす光反射部により反射された光が導光板の光出射面ではない端面から出射されるのが抑制され、もって光の利用効率が高いものとされる。
【００１６】
これに対し、第１方向について中央側の領域では、第２方向についての端側の領域と同中間領域との間における光反射部の分布密度の差と、第２方向についての中間領域と同中央側の領域との間における光反射部の分布密度の差との間の差が、第１方向について光入射面に近い端側の領域、及び同中間領域に比べて相対的に大きくなっているから、相対的に第２方向についての中央側の領域から同中間領域を介して同端側の領域へと光が導入され易くなる。これにより、第１方向について中央側の領域における第２方向についての端側の領域においては、光反射パターンをなす光反射部により反射された光が効率的に光出射面から出射されるので、第１方向について光入射面に近い端側の領域、及び同中間領域との間に生じ得る輝度差が緩和され、もって輝度分布の均一性が高いものとなる。しかも、当該導光板の製造工程のうち光反射パターンを反対板面に形成する際の製造上の理由から、光反射パターンをなす光反射部の分布密度に濃淡のムラが生じた場合であっても、第２方向について中央側の領域と端側の領域と中間領域とにおける光反射パターンをなす光反射部の分布密度の差が一層変動し難くなり、それにより第２方向について中央側において輝度が一層低下し難くなる。
【００１７】
（３）前記光入射面には、前記外周端面のうち対辺をなす一対の端面のうち、一方の端面からなり一方の光源からの光が入射される第１光入射面と、他方の端面からなり他方の光源からの光が入射される第２光入射面とが含まれており、前記反対板面を、少なくとも前記第１方向について中央側の領域と、前記第１方向について前記第１光入射面に近い端側の領域と、前記第１方向について前記第２光入射面に近い端側の領域とに区分したとき、前記光反射パターンは、前記第１方向について中央側の領域が、前記第１光入射面に近い端側の領域、及び前記第２光入射面に近い端側の領域よりも前記光反射部の分布密度が高くなり、さらには、前記第１方向について中央側の領域における前記第２方向についての端側の領域と同中央側の領域との前記光反射部の分布密度の差が、前記第１方向について前記第１光入射面に近い端側の領域における前記第２方向についての端側の領域と同中央側の領域との前記光反射部の分布密度の差よりも大きく、且つ前記第１方向について前記第２光入射面に近い端側の領域における前記第２方向についての端側の領域と同中央側の領域との前記光反射部の分布密度の差よりも大きくなるよう形成されている。このようにすれば、まず、光反射パターンは、第１方向について中央側の領域が、第１光入射面に近い端側の領域、及び第２光入射面に近い端側の領域よりも光反射部の分布密度が高くなっているので、第１方向について出射光量、つまり輝度分布の均一性が高められる。その上で、第１方向について第１光入射面に近い端側の領域、及び第１方向について第２光入射面に近い端側の領域では、第１方向について中央側の領域に比べると、第２方向についての中央側の領域から同端側の領域へと光が導入され難くなっている。第１方向について第１光入射面に近い端側の領域、及び第１方向について第２光入射面に近い端側の領域におけるそれぞれの第２方向についての端側の領域では、内部に存在する光量が、第１方向について中央側の領域における第２方向についての端側の領域よりも多くなっていることから、上記のように第２方向についての中央側の領域から同端側の領域へと光が導入され難くすることで、第２方向についての端側の領域において光反射パターンをなす光反射部により反射された光が導光板の光出射面ではない端面から出射されるのが抑制され、それにより光の利用効率が高いものとなる。これに対して、第１方向について中央側の領域では、第１方向について第１光入射面に近い端側の領域、及び第１方向について第２光入射面に近い端側の領域に比べると、第２方向についての中央側の領域から同端側の領域へと光が導入され易くなるので、光量が不足しがちな第２方向についての端側の領域に光が十分に供給され、それにより輝度分布の均一性が高いものとなる。
【００１８】
（４）前記反対板面を、少なくとも前記第１方向について中央側の第１中央側領域と、前記第１方向について前記第１光入射面に近い端側の第１光入射面側領域と、前記第１方向について前記第１中央側領域と前記第１光入射面側領域との間に位置する第１光入射面側中間領域と、前記第１方向について前記第２光入射面に近い端側の第２光入射面側領域と、前記第１方向について前記第１中央側領域と前記第２光入射面側領域との間に位置する第２光入射面側中間領域と、に区分したとき、前記光反射パターンは、前記第１中央側領域における前記第２方向についての端側の領域と同中央側の領域との前記光反射部の分布密度の差が、前記第１光入射面側領域における前記第２方向についての端側の領域と同中央側の領域との前記光反射部の分布密度の差、前記第１光入射面側中間領域における前記第２方向についての端側の領域と同中央側の領域との前記光反射部の分布密度の差、前記第２光入射面側領域における前記第２方向についての端側の領域と同中央側の領域との前記光反射部の分布密度の差、及び前記第２光入射面側中間領域における前記第２方向についての端側の領域と同中央側の領域との前記光反射部の分布密度の差、よりもそれぞれ大きくなるよう形成されている。このようにすれば、第１光入射面側領域、第１光入射面側中間領域、第２光入射面側領域、及び第２光入射面側中間領域では、第１中央側領域に比べると、第２方向についての中央側の領域から同端側の領域へと光が導入され難くなっている。第１光入射面側領域、第１光入射面側中間領域、第２光入射面側領域、及び第２光入射面側中間領域におけるそれぞれの第２方向についての端側の領域では、内部に存在する光量が、第１中央側領域における第２方向についての端側の領域よりも多くなっていることから、上記のように第２方向についての中央側の領域から同端側の領域へと光が導入され難くすることで、第２方向についての端側の領域において光反射パターンをなす光反射部により反射された光が導光板の光出射面ではない端面から出射されるのが抑制され、それにより光の利用効率が高いものとなる。これに対して、第１中央側領域では、第１光入射面側領域、第１光入射面側中間領域、第２光入射面側領域、及び第２光入射面側中間領域に比べると、第２方向についての中央側の領域から同端側の領域へと光が導入され易くなるので、光量が不足しがちな第２方向についての端側の領域に光が十分に供給され、それにより輝度分布の均一性が高いものとなる。
【００１９】
（５）前記光反射パターンは、前記第１光入射面側中間領域における前記第２方向についての端側の領域と同中央側の領域との前記光反射部の分布密度の差が、前記第１光入射面側領域における前記第２方向についての端側の領域と同中央側の領域との前記光反射部の分布密度の差よりも大きくなるとともに、前記第２光入射面側中間領域における前記第２方向についての端側の領域と同中央側の領域との前記光反射部の分布密度の差が、前記第２光入射面側領域における前記第２方向についての端側の領域と同中央側の領域との前記光反射部の分布密度の差よりも大きくなるよう形成されている。このようにすれば、第１光入射面側領域及び第２光入射面側領域では、第１光入射面側中間領域及び第２光入射面側中間領域に比べると、第２方向についての中央側の領域から同端側の領域へと光が導入され難くなっている。第１光入射面側領域及び第２光入射面側領域におけるそれぞれの第２方向についての端側の領域では、内部に存在する光量が、第１光入射面側中間領域及び第２光入射面側中間領域における第２方向についての端側の領域よりも多くなっていることから、上記のように第２方向についての中央側の領域から同端側の領域へと光が導入され難くすることで、第２方向についての端側の領域において光反射パターンをなす光反射部により反射された光が導光板の光出射面ではない端面から出射されるのが抑制され、それにより光の利用効率が高いものとなる。これに対して、第１光入射面側中間領域及び第２光入射面側中間領域では、第１光入射面側領域及び第２光入射面側領域に比べると、第２方向についての中央側の領域から同端側の領域へと光が導入され易くなるので、光量が不足しがちな第２方向についての端側の領域に光が十分に供給され、それにより輝度分布の均一性が高いものとなる。
【００２０】
（６）前記反対板面を、少なくとも前記第２方向について中央側の第２中央側領域と、前記第２方向について一方の端側の一端側領域と、前記第２中央側領域と前記一端側領域との間に位置する一端側中間領域と、前記第２方向について他方の端側の他端側領域と、前記第２中央側領域と前記他端側領域との間に位置する他端側中間領域と、に区分したとき、前記光反射パターンは、前記第１中央側領域における前記一端側領域と前記一端側中間領域との前記光反射部の分布密度の差と、前記一端側中間領域と前記第２中央側領域との前記光反射部の分布密度の差との差が、前記第１光入射面側中間領域における前記一端側領域と前記一端側中間領域との前記光反射部の分布密度の差と、前記一端側中間領域と前記第２中央側領域との前記光反射部の分布密度の差との差、前記第１光入射面側領域における前記一端側領域と前記一端側中間領域との前記光反射部の分布密度の差と、前記一端側中間領域と前記第２中央側領域との前記光反射部の分布密度の差との差、前記第２光入射面側中間領域における前記一端側領域と前記一端側中間領域との前記光反射部の分布密度の差と、前記一端側中間領域と前記第２中央側領域との前記光反射部の分布密度の差との差、及び前記第２光入射面側領域における前記一端側領域と前記一端側中間領域との前記光反射部の分布密度の差と、前記一端側中間領域と前記第２中央側領域との前記光反射部の分布密度の差との差よりもそれぞれ大きくなるとともに、前記第１中央側領域における前記他端側領域と前記他端側中間領域との前記光反射部の分布密度の差と、前記他端側中間領域と前記第２中央側領域との前記光反射部の分布密度の差との差が、前記第１光入射面側中間領域における前記他端側領域と前記他端側中間領域との前記光反射部の分布密度の差と、前記他端側中間領域と前記第２中央側領域との前記光反射部の分布密度の差との差、前記第１光入射面側領域における前記他端側領域と前記他端側中間領域との前記光反射部の分布密度の差と、前記他端側中間領域と前記第２中央側領域との前記光反射部の分布密度の差との差、前記第２光入射面側中間領域における前記他端側領域と前記他端側中間領域との前記光反射部の分布密度の差と、前記他端側中間領域と前記第２中央側領域との前記光反射部の分布密度の差との差、及び前記第２光入射面側領域における前記他端側領域と前記他端側中間領域との前記光反射部の分布密度の差と、前記他端側中間領域と前記第２中央側領域との前記光反射部の分布密度の差との差よりもそれぞれ大きくなるよう形成されている。このようにすれば、第１光入射面側領域及び第１光入射面側中間領域では、それぞれ一端側領域（他端側領域）と一端側中間領域（他端側中間領域）との間における光反射部の分布密度の差と、一端側中間領域（他端側中間領域）と第２中央側領域との間の光反射部の分布密度の差との差が、第１中央側領域に比べて相対的に小さくなっているから、相対的に第２中央側領域から一端側中間領域（他端側中間領域）を介して一端側領域（他端側領域）へと光が導入され難くなる。これにより、第１光入射面側領域及び第１光入射面側中間領域における一端側領域（他端側領域）においては、光反射パターンをなす光反射部により反射された光が導光板の光出射面ではない端面から出射されるのが抑制され、もって光の利用効率が高いものとされる。これは、第２光入射面側領域及び第２光入射面側中間領域においても同様とされる。これに対し、第１中央側領域では、一端側領域（他端側領域）と一端側中間領域（他端側中間領域）との間における光反射部の分布密度の差と、一端側中間領域（他端側中間領域）と第２中央側領域との間の光反射部の分布密度の差との差が、第１光入射面側領域、第１光入射面側中間領域、第２光入射面側領域及び第２光入射面側中間領域に比べて相対的に大きくなっているから、相対的に第２中央側領域から一端側中間領域（他端側中間領域）を介して一端側領域（他端側領域）へと光が導入され易くなる。これにより、第１中央側領域における一端側領域（他端側領域）においては、光反射パターンをなす光反射部により反射された光が効率的に光出射面から出射されるので、第１光入射面側領域、第１光入射面側中間領域、第２光入射面側領域及び第２光入射面側中間領域との間に生じ得る輝度差が緩和され、もって輝度分布の均一性が高いものとなる。以上により、第１中央側領域における一端側領域、第２中央側領域、及び他端側領域と、第１光入射面側領域における一端側領域、第２中央側領域、及び他端側領域と、第２光入射面側領域における一端側領域、第２中央側領域、及び他端側領域と、の合計９領域において輝度分布の均一化が図られるので、当該導光板を表示装置用の照明装置に用いた場合に、極めて高い表示品位を得ることが可能とされる。
【００２１】
（７）前記光反射パターンは、前記光反射部が前記第１方向について対称をなすよう形成されている。このようにすれば、一方の光源と第１光入射面との間の距離と、他方の光源と第２光入射面との間の距離とが等しい場合に有用となる。
【００２２】
（８）前記外周端面のうち対辺をなす一対の端面のうち、一方の端面が前記光入射面とされるのに対し、他方の端面が前記光源からの光が直接入射されることのない反対端面とされており、前記反対板面を、少なくとも前記第１方向について中央側の領域と、前記第１方向について前記光入射面に近い端側の領域と、前記第１方向について前記反対端面に近い端側の領域とに区分したとき、前記光反射パターンは、前記第１方向について前記光入射面に近い端側の領域、中央側の領域、前記反対端面に近い端側の領域の順で前記光反射部の分布密度が高くなり、さらには、前記第１方向について中央側の領域における前記第２方向についての端側の領域と同中央側の領域との前記光反射部の分布密度の差が、前記第１方向について前記光入射面に近い端側の領域における前記第２方向についての端側の領域と同中央側の領域との前記光反射部の分布密度の差よりも大きく、且つ前記第１方向について前記反対端面に近い端側の領域における前記第２方向についての端側の領域と同中央側の領域との前記光反射部の分布密度の差と同等になるよう形成されている。このようにすれば、まず、光反射パターンは、第１方向について光入射面に近い端側の領域、中央側の領域、反対端面に近い端側の領域の順で光反射部の分布密度が高くなっているので、第１方向について出射光量、つまり輝度分布の均一性が高められる。その上で、第１方向について光入射面に近い端側の領域では、第１方向について中央側の領域、及び反対端面に近い端側の領域に比べると、第２方向についての中央側の領域から同端側の領域へと光が導入され難くなっている。第１方向について光入射面に近い端側の領域における第２方向についての端側の領域では、内部に存在する光量が、第１方向について中央側の領域、及び反対端面に近い端側の領域よりも多くなっていることから、上記のように第２方向についての中央側の領域から同端側の領域へと光が導入され難くすることで、第２方向についての端側の領域において光反射パターンをなす光反射部により反射された光が導光板の光出射面ではない端面から出射されるのが抑制され、それにより光の利用効率が高いものとなる。これに対して、第１方向について中央側の領域、及び反対端面に近い端側の領域では、第１方向について光入射面に近い端側の領域に比べると、第２方向についての中央側の領域から同端側の領域へと光が導入され易くなるので、光量が不足しがちな第２方向についての端側の領域に光が十分に供給され、それにより輝度分布の均一性が高いものとなる。
【００２３】
そして、第１方向について反対端面に近い端側の領域では、第２方向についての中央側の領域から同端側の領域への光の導入のされ易さが第１方向について中央側の領域と同等とされている。第１方向について反対端面に近い端側の領域における第２方向についての端側の領域は、第１方向に沿う端面に加えて反対端面を有しているため、光反射部により反射された光が外部に漏れ出し易くなっており、仮に第２方向についての端側の領域と同中央側の領域との光反射部の分布密度の差を、第１方向について中央側の領域よりも大きくすると、光の利用効率が著しく悪化するおそれがある。その点、上記のように第１方向について反対端面に近い端側の領域と第１方向について中央側の領域とで、第２方向についての端側の領域と同中央側の領域との光反射部の分布密度の差を、同等にすることで、第１方向について反対端面に近い端側の領域における第２方向についての端側の領域からの光の漏れ出し、つまり光の利用効率の低下を抑制しつつも、輝度分布の均一性を十分に確保することができる。
【００２４】
（９）前記反対板面を、少なくとも前記第１方向について中央側の第１中央側領域と、前記第１方向について前記光入射面に近い端側の光入射面側領域と、前記第１中央側領域と前記光入射面側領域との間に位置する光入射面側中間領域と、前記第１方向について前記反対端面に近い端側の反対端面側領域と、前記第１中央側領域と前記反対端面側領域との間に位置する反対端面側中間領域と、に区分したとき、前記光反射パターンは、前記第１中央側領域における前記第２方向についての端側の領域と同中央側の領域との前記光反射部の分布密度の差が、前記光入射面側領域における前記第２方向についての端側の領域と同中央側の領域との前記光反射部の分布密度の差、前記光入射面側中間領域における前記第２方向についての端側の領域と同中央側の領域との前記光反射部の分布密度の差、よりもそれぞれ大きくなるとともに、前記反対端面側領域における前記第２方向についての端側の領域と同中央側の領域との前記光反射部の分布密度の差が、前記反対端面側中間領域における前記第２方向についての端側の領域と同中央側の領域との前記光反射部の分布密度の差よりも大きく且つ前記第１中央側領域における前記第２方向についての端側の領域と同中央側の領域との前記光反射部の分布密度の差と同等になるよう形成されている。このようにすれば、光入射面側領域及び光入射面側中間領域では、第１中央側領域及び反対端面側領域に比べると、第２方向についての中央側の領域から同端側の領域へと光が導入され難くなっている。光入射面側領域及び光入射面側中間領域におけるそれぞれの第２方向についての端側の領域では、内部に存在する光量が、第１中央側領域及び反対端面側領域よりも多くなっていることから、上記のように第２方向についての中央側の領域から同端側の領域へと光が導入され難くすることで、第２方向についての端側の領域において光反射パターンをなす光反射部により反射された光が導光板の光出射面ではない端面から出射されるのが抑制され、それにより光の利用効率が高いものとなる。これに対して、第１中央側領域及び反対端面側領域では、光入射面側領域、光入射面側中間領域及び反対端面側中間領域に比べると、第２方向についての中央側の領域から同端側の領域へと光が導入され易くなるので、光量が不足しがちな第２方向についての端側の領域に光が十分に供給され、それにより輝度分布の均一性が高いものとなる。
【００２５】
そして、反対端面側中間領域では、第１中央側領域及び反対端面側領域に比べると、第２方向についての中央側の領域から同端側の領域へと光が導入され難くなっているのに対し、反対端面側領域では、第２方向についての中央側の領域から同端側の領域への光の導入のされ易さが第１中央側領域と同等とされている。このうち、反対端面側領域における第２方向についての端側の領域は、第１方向に沿う端面に加えて反対端面を有しているため、光反射部により反射された光が外部に漏れ出し易くなっており、仮に第２方向についての端側の領域と同中央側の領域との光反射部の分布密度の差を、第１中央側領域及び反対端面側中間領域よりも大きくすると、光の利用効率が著しく悪化するおそれがある。その点、上記のように反対端面側領域と第１中央側領域とで、第２方向についての端側の領域と同中央側の領域との光反射部の分布密度の差を、同等にすることで、反対端面側領域における第２方向についての端側の領域からの光の漏れ出し、つまり光の利用効率の低下を抑制しつつも、輝度分布の均一性を十分に確保することができる。しかも、反対端面側中間領域において第２方向についての中央側の領域から同端側の領域へと光が導入され難くすることで、反対端面側領域において光量が不足しがちな第２方向についての端側の領域へと光を十分に供給することができ、それにより輝度分布の均一性が高いものとなる。
【００２６】
（１０）前記反対板面を、少なくとも前記第２方向について中央側の第２中央側領域と、前記第２方向について一方の端側の一端側領域と、前記第２中央側領域と前記一端側領域との間に位置する一端側中間領域と、前記第２方向について他方の端側の他端側領域と、前記第２中央側領域と前記他端側領域との間に位置する他端側中間領域と、に区分したとき、前記第１中央側領域における前記一端側領域と前記一端側中間領域との前記光反射部の分布密度の差と、前記一端側中間領域と前記第２中央側領域との前記光反射部の分布密度の差との差が、前記光入射面側中間領域における前記一端側領域と前記一端側中間領域との前記光反射部の分布密度の差と、前記一端側中間領域と前記第２中央側領域との前記光反射部の分布密度の差との差、前記光入射面側領域における前記一端側領域と前記一端側中間領域との前記光反射部の分布密度の差と、前記一端側中間領域と前記第２中央側領域との前記光反射部の分布密度の差との差よりもそれぞれ大きくなるとともに、前記第１中央側領域における前記他端側領域と前記他端側中間領域との前記光反射部の分布密度の差と、前記他端側中間領域と前記第２中央側領域との前記光反射部の分布密度の差との差が、前記光入射面側中間領域における前記他端側領域と前記他端側中間領域との前記光反射部の分布密度の差と、前記他端側中間領域と前記第２中央側領域との前記光反射部の分布密度の差との差、前記光入射面側領域における前記他端側領域と前記他端側中間領域との前記光反射部の分布密度の差と、前記他端側中間領域と前記第２中央側領域との前記光反射部の分布密度の差との差よりもそれぞれ大きくなり、前記反対端面側領域における前記一端側領域と前記一端側中間領域との前記光反射部の分布密度の差と、前記一端側中間領域と前記第２中央側領域との前記光反射部の分布密度の差との差が、前記反対端面側中間領域における前記一端側領域と前記一端側中間領域との前記光反射部の分布密度の差と、前記一端側中間領域と前記第２中央側領域との前記光反射部の分布密度の差との差よりも大きくなり且つ前記第１中央側領域における前記一端側領域と前記一端側中間領域との前記光反射部の分布密度の差と、前記一端側中間領域と前記第２中央側領域との前記光反射部の分布密度の差との差と同等となるとともに、前記反対端面側領域における前記他端側領域と前記他端側中間領域との前記光反射部の分布密度の差と、前記他端側中間領域と前記第２中央側領域との前記光反射部の分布密度の差との差が、前記反対端面側中間領域における前記他端側領域と前記他端側中間領域との前記光反射部の分布密度の差と、前記他端側中間領域と前記第２中央側領域との前記光反射部の分布密度の差との差よりも大きくなり且つ前記第１中央側領域における前記他端側領域と前記他端側中間領域との前記光反射部の分布密度の差と、前記他端側中間領域と前記第２中央側領域との前記光反射部の分布密度の差との差と同等となるよう形成されている。このようにすれば、光入射面側領域及び光入射面側中間領域では、それぞれ一端側領域（他端側領域）と一端側中間領域（他端側中間領域）との間における光反射部の分布密度の差と、一端側中間領域（他端側中間領域）と第２中央側領域との間の光反射部の分布密度の差との差が、第１中央側領域及び反対端面側領域に比べて相対的に小さくなっているから、相対的に第２中央側領域から一端側中間領域（他端側中間領域）を介して一端側領域（他端側領域）へと光が導入され難くなる。これにより、光入射面側領域及び光入射面側中間領域における一端側領域（他端側領域）においては、光反射パターンをなす光反射部により反射された光が導光板の光出射面ではない端面から出射されるのが抑制され、もって光の利用効率が高いものとされる。これに対し、第１中央側領域及び反対端面側領域では、一端側領域（他端側領域）と一端側中間領域（他端側中間領域）との間における光反射部の分布密度の差と、一端側中間領域（他端側中間領域）と第２中央側領域との間の光反射部の分布密度の差との差が、光入射面側領域、光入射面側中間領域及び反対端面側中間領域に比べて相対的に大きくなっているから、相対的に第２中央側領域から一端側中間領域（他端側中間領域）を介して一端側領域（他端側領域）へと光が導入され易くなる。これにより、第１中央側領域及び反対端面側領域における一端側領域（他端側領域）においては、光反射パターンをなす光反射部により反射された光が効率的に光出射面から出射されるので、光入射面側領域、光入射面側中間領域及び反対端面側中間領域との間に生じ得る輝度差が緩和され、もって輝度分布の均一性が高いものとなる。
【００２７】
そして、反対端面側中間領域では、第１中央側領域及び反対端面側領域に比べると、第２中央側領域から一端側中間領域（他端側中間領域）を介して一端側領域（他端側領域）へと光が導入され難くなっているのに対し、反対端面側領域では、第２中央側領域から一端側中間領域（他端側中間領域）を介して一端側領域（他端側領域）への光の導入のされ易さが第１中央側領域と同等とされている。このうち、反対端面側領域における一端側領域（他端側領域）は、第１方向に沿う端面に加えて反対端面を有しているため、光反射部により反射された光が外部に漏れ出し易くなっており、仮に一端側領域（他端側領域）と一端側中間領域（他端側中間領域）との間における光反射部の分布密度の差と、一端側中間領域（他端側中間領域）と第２中央側領域との間の光反射部の分布密度の差との差を、第１中央側領域及び反対端面側中間領域よりも大きくすると、光の利用効率が著しく悪化するおそれがある。その点、上記のように反対端面側領域と第１中央側領域とで、一端側領域（他端側領域）と一端側中間領域（他端側中間領域）との間における光反射部の分布密度の差と、一端側中間領域（他端側中間領域）と第２中央側領域との間の光反射部の分布密度の差との差を、同等にすることで、反対端面側領域における一端側領域（他端側領域）からの光の漏れ出し、つまり光の利用効率の低下を抑制しつつも、輝度分布の均一性を十分に確保することができる。しかも、反対端面側中間領域において第２中央側領域から一端側中間領域（他端側中間領域）を介して一端側領域（他端側領域）へと光が導入され難くすることで、反対端面側領域において光量が不足しがちな一端側領域（他端側領域）へと光を十分に供給することができ、それにより輝度分布の均一性が高いものとなる。以上により、第１中央側領域における一端側領域、第２中央側領域、及び他端側領域と、光入射面側領域における一端側領域、第２中央側領域、及び他端側領域と、反対端面側領域における一端側領域、第２中央側領域、及び他端側領域と、の合計９領域において輝度分布の均一化が図られるので、当該導光板を表示装置用の照明装置に用いた場合に、極めて高い表示品位を得ることが可能とされる。
【００２８】
（１１）前記光反射パターンは、前記光反射部として反射膜からなるドットを多数前記反対板面に印刷してなり、前記ドットの面積と、前記ドットの配列ピッチとの少なくともいずれか一方を変化させることで、前記光反射部の分布密度を制御している。このようにすれば、反射膜からなるドットの態様により光反射部の分布密度を容易に制御することが可能となる。
【００２９】
本発明の照明装置は、上記した導光板と、前記光入射面に光を供給する光源と、を少なくとも備える。このような照明装置によれば、光源からの光が入射される光入射面を有する導光板が、輝度分布の均一性が向上されるとともに光の利用効率が向上されたものであるから、当該照明装置の光学性能が良好なものとなるとともに高輝度化（低消費電力化）が図られる。
【００３０】
本発明の表示装置は、上記した照明装置と、前記照明装置からの光を利用して画像を表示する表示パネルを備える。このような表示装置によれば、照明装置に備えられる導光板が輝度分布の均一性が向上されるとともに光の利用効率が向上されたものであるから、表示パネルに表示される画像に係る表示品位が良好なものとなるとともに大画面化に好適とされる。
【００３１】
本発明のテレビ受信装置は、上記した表示装置を備える。このようなテレビ受信装置によれば、表示装置に備えられる導光板が輝度分布の均一性が向上されるとともに光の利用効率が向上されたものであるから、表示パネルに表示されるテレビ画像に係る表示品位が良好なものとなるとともに大画面化に好適とされる。
【発明の効果】
【００３２】
本発明によれば、特殊な部材を用いることなく輝度分布の均一性を向上させることができる。
【図面の簡単な説明】
【００３３】
【図１】本発明の実施形態１に係るテレビ受信装置の概略構成を示す分解斜視図
【図２】液晶表示装置の概略構成を示す分解斜視図
【図３】液晶表示装置を短辺方向に沿って切断した断面のＬＥＤ近傍を拡大した拡大断面図
【図４】液晶表示装置に備えられるバックライト装置を構成するＬＥＤ基板及び導光板の平面図
【図５】ＬＥＤ基板及び導光板の平面図であって、合計２５の領域に区分された反対板面の区分態様を説明するための平面図
【図６】第１中央側領域における一端側領域、一端側中間領域、及び第２中央側領域と、第１光入射面側領域における一端側領域、一端側中間領域、及び第２中央側領域と、第２光入射面側領域における一端側領域、一端側中間領域、及び第２中央側領域とにおける光反射パターンをなす光反射部のドットを示す平面図
【図７】図６のvii-vii線断面図
【図８】導光板の反対板面におけるＹ１端からＹ２端に至るまでの光反射部の分布密度の変化を示すグラフ
【図９】導光板の反対板面におけるＸ１端からＸ２端に至るまでの光反射部の分布密度の変化を示すグラフ
【図１０】ＬＥＤ基板及び導光板の平面図であって、合計９の領域に区分された反対板面の区分態様を説明するための平面図
【図１１】本発明の実施形態２に係る液晶表示装置に備えられるバックライト装置を構成するＬＥＤ基板及び導光板の平面図
【図１２】ＬＥＤ基板及び導光板の平面図であって、合計２５の領域に区分された反対板面の区分態様を説明するための平面図
【図１３】導光板の反対板面におけるＹ１端からＹ２端に至るまでの光反射部の分布密度の変化を示すグラフ
【図１４】導光板の反対板面におけるＸ１端からＸ２端に至るまでの光反射部の分布密度の変化を示すグラフ
【図１５】ＬＥＤ基板及び導光板の平面図であって、合計９の領域に区分された反対板面の区分態様を説明するための平面図
【図１６】本発明の実施形態３に係る液晶表示装置に備えられるバックライト装置を構成するＬＥＤ基板及び導光板の平面図
【図１７】導光板の反対板面におけるＹ１端からＹ２端に至るまでの光反射部の分布密度の変化を示すグラフ
【図１８】導光板の反対板面におけるＸ１端からＸ２端に至るまでの光反射部の分布密度の変化を示すグラフ
【図１９】本発明の実施形態４に係る液晶表示装置に備えられるバックライト装置を構成するＬＥＤ基板及び導光板の平面図
【図２０】導光板の反対板面におけるＹ１端からＹ２端に至るまでの光反射部の分布密度の変化を示すグラフ
【図２１】導光板の反対板面におけるＸ１端からＸ２端に至るまでの光反射部の分布密度の変化を示すグラフ
【図２２】本発明の実施形態５に係る第１中央側領域における一端側領域、一端側中間領域、及び第２中央側領域と、第１光入射面側領域における一端側領域、一端側中間領域、及び第２中央側領域と、第２光入射面側領域における一端側領域、一端側中間領域、及び第２中央側領域とにおける光反射パターンをなす光反射部の反射溝部を示す平面図
【図２３】図２２のxxiii-xxiii線断面図
【図２４】本発明の実施形態６に係る第１中央側領域における一端側領域、一端側中間領域、及び第２中央側領域と、第１光入射面側領域における一端側領域、一端側中間領域、及び第２中央側領域と、第２光入射面側領域における一端側領域、一端側中間領域、及び第２中央側領域とにおける光反射パターンをなす光反射部の反射凹部を示す平面図
【図２５】図２４のxxv-xxv線断面図
【図２６】本発明の実施形態７に係る光反射部の反射凹部を示す断面図
【図２７】本発明の実施形態８に係る液晶表示装置に備えられるバックライト装置を構成するＬＥＤ基板及び導光板の平面図
【図２８】導光板の反対板面におけるＹ１端からＹ２端に至るまでの光反射部の分布密度の変化を示すグラフ
【図２９】導光板の反対板面におけるＸ１端からＸ２端に至るまでの光反射部の分布密度の変化を示すグラフ
【図３０】本発明の他の実施形態（１）に係る第１中央側領域における一端側領域、一端側中間領域、及び第２中央側領域と、第１光入射面側領域における一端側領域、一端側中間領域、及び第２中央側領域と、第２光入射面側領域における一端側領域、一端側中間領域、及び第２中央側領域とにおける光反射パターンをなす光反射部のドットを示す平面図
【図３１】本発明の他の実施形態（２）に係る第１中央側領域における一端側領域、一端側中間領域、及び第２中央側領域と、第１光入射面側領域における一端側領域、一端側中間領域、及び第２中央側領域と、第２光入射面側領域における一端側領域、一端側中間領域、及び第２中央側領域とにおける光反射パターンをなす光反射部のドットを示す平面図
【発明を実施するための形態】
【００３４】
＜実施形態１＞
本発明の実施形態１を図１から図１０によって説明する。本実施形態では、液晶表示装置１０について例示する。なお、各図面の一部にはＸ軸、Ｙ軸及びＺ軸を示しており、各軸方向が各図面で示した方向となるように描かれている。また、図３に示す上側を表側とし、同図下側を裏側とする。
【００３５】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナＴと、スタンドＳとを備えて構成される。液晶表示装置（表示装置）１０は、全体として横長の方形をなしており、図２に示すように、表示パネルである液晶パネル１１と、外部光源であるバックライト装置（照明装置）１２とを備え、これらが枠状のベゼル１３などにより一体的に保持されるようになっている。液晶表示装置１０において液晶パネル１１は、画像を表示可能な表示面が表側を向いた姿勢で組み付けられている。
【００３６】
液晶パネル１１は、図２に示すように、平面に視て横長の方形をなしており、透光性に優れた一対のガラス製の基板が所定のギャップを隔てた状態で貼り合わせられるとともに、両基板間に液晶が封入された構成とされる。一方の基板（アレイ基板）には、互いに直交するソース配線とゲート配線とに接続されたスイッチング素子（例えばＴＦＴ）と、そのスイッチング素子に接続された画素電極、さらには配向膜等が設けられ、他方の基板（ＣＦ基板）には、Ｒ（赤色），Ｇ（緑色），Ｂ（青色）等の各着色部が所定配列で配置されたカラーフィルタや対向電極、さらには配向膜等が設けられている。この液晶パネル１１は、画面中央側にあって画像が表示可能な表示領域（アクティブエリア）と、画面外周端側にあって表示領域の周りを取り囲む枠状（額縁状）をなす非表示領域（ノンアクティブエリア）とに区分されている。なお、一対の基板の外面側には、表裏一対の偏光板がそれぞれ貼り付けられている。
【００３７】
バックライト装置１２は、図２に示すように、表側（光出射側、液晶パネル１１側）に向けて開口する略箱型をなすシャーシ１４と、シャーシ１４の開口部分を覆うようにして配される光学シート（光学部材）１５とを備える。さらに、シャーシ１４内には、光源であるＬＥＤ（Light Emitting Diode：発光ダイオード）１７と、複数のＬＥＤ１７が実装されたＬＥＤ基板（光源基板）１８と、ＬＥＤ１７からの光を導光して光学シート１５（液晶パネル１１）へと導く導光板１９と、導光板１９の裏側に積層配置される反射シート（反射部材）２０と、反射シート２０とシャーシ１４との間に介在するスペーサ２１と、互い積層された反射シート２０、導光板１９及び光学シート１５を表側から押さえるフレーム（押さえ部材）１６と、を少なくとも備える。そして、このバックライト装置１２は、その長辺側の両端部に、ＬＥＤ基板１８が対をなす形で配されており、それらのＬＥＤ基板１８に実装された各ＬＥＤ１７が導光板１９の短辺方向についての両側にそれぞれ配されている。このように、本実施形態に係るバックライト装置１２は、導光板１９に対して両側から入光される両側入光タイプのエッジライト型（サイドライト型）とされている。以下では、バックライト装置１２の各構成部品について詳しく説明する。
【００３８】
シャーシ１４は、例えばアルミニウム板や電気亜鉛めっき綱板（ＳＥＣＣ）などの金属板からなり、図２及び図４に示すように、平面に視て液晶パネル１１と同様に横長の方形状をなすとともに、その長辺方向がＸ軸方向（水平方向）と一致し、短辺方向がＹ軸方向（鉛直方向）と一致している。シャーシ１４は、横長の方形状をなす底板１４ａと、底板１４ａにおける長辺側及び短辺側の各外端からそれぞれ一対ずつ立ち上がる側板１４ｂとを有しており、このうち長辺側の両側板１４ｂに対してそれぞれＬＥＤ基板１８が取り付けられている。底板１４ａの外周端部付近には、表側に向けて突出するとともに平面に視て略枠状をなす突出部１４ａ１が設けられている。この突出部１４ａ１は、平面に視た外形が導光板１９及び反射シート２０の外形とほぼ一致しており、それによりシャーシ１４内に収容される導光板１９及び反射シート２０における外周端部を裏側から支持することが可能とされる。突出部１４ａ１における突出先端面は、導光板１９及び反射シート２０の板面に沿うようほぼフラットな（平坦な）形状とされ、それにより導光板１９及び反射シート２０を安定的に支持することができる。また、底板１４ａの裏側外部には、液晶パネル１１に駆動のための信号を供給する図示しないパネル制御基板やＬＥＤ１７に駆動電力を供給するＬＥＤ駆動回路基板などの基板類が取り付けられている。また、各側板１４ｂには、フレーム１６及びベゼル１３がねじなどにより固定可能とされる。
【００３９】
光学シート１５は、図２に示すように、液晶パネル１１及びシャーシ１４と同様に平面に視て横長の方形状をなしている。光学シート１５は、導光板１９の表側（光出射側）に載せられていて液晶パネル１１と導光板１９との間に介在して配されることで、導光板１９からの出射光を透過するとともにその透過光に所定の光学作用を付与しつつ液晶パネル１１に向けて出射させる。光学シート１５は、複数枚（本実施形態では３枚）が互いに積層されている。具体的な光学シート１５の種類としては、例えば拡散シート、レンズシート、反射型偏光シートなどがあり、これらの中から適宜に選択して使用することが可能である。
【００４０】
フレーム１６は、合成樹脂製とされており、図２及び図３に示すように、全体として導光板１９の外周端部に沿って延在する枠状（額縁状）に形成されており、導光板１９の外周端部をほぼ全周にわたって表側から押さえることが可能とされる。フレーム１６は、導光板１９の外周端部を押さえる部位からさらに内向きに突出することで光学シート１５の外周端部に対して表側から被せられる部位を有しており、当該部位により光学シート１５を表側から支持することが可能とされる。フレーム１６のうち、導光板１９の外周端部を押さえる部位と、光学シート１５の外周端部を支持する部位とは、共に液晶パネル１１における外周端部を裏側から支持している。フレーム１６は、表側から平面に視て導光板１９の外周端部からシャーシ１４の各側板１４ｂまでを覆う範囲にわたって形成されているので、後述するＬＥＤ１７及びＬＥＤ基板１８についても表側から覆っている。また、フレーム１６における外周端部には、裏側に向けて突出する短筒状をなす部位が設けられており、当該短筒状をなす部位がシャーシ１４の各側板１４ｂを外側から取り囲む形で配されるとともに、ベゼル１３と共に特定の側板１４ｂに対して固定される。
【００４１】
ＬＥＤ１７は、図３及び図４に示すように、ＬＥＤ基板１８に固着される基板部上にＬＥＤチップ（ＬＥＤ素子、半導体発光素子）を樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の面が主発光面１７ａとなる、いわゆる頂面発光型とされている。
【００４２】
ＬＥＤ基板１８は、図２から図４に示すように、シャーシ１４の長辺方向（Ｘ軸方向、導光板１９における光入射面２２の長手方向）に沿って延在する細長い板状をなすとともに、その板面をＸ軸方向及びＺ軸方向に並行した姿勢、つまり液晶パネル１１及び導光板１９（光学シート１５）の板面と直交させた姿勢でシャーシ１４内に収容されている。すなわち、このＬＥＤ基板１８は、板面における長辺方向（長さ方向）がＸ軸方向と、短辺方向（幅方向）がＺ軸方向とそれぞれ一致し、さらには板面と直交する板厚方向がＹ軸方向と一致した姿勢とされる。ＬＥＤ基板１８は、Ｙ軸方向について導光板１９を挟んだ位置に対をなす形で配されており、詳しくは導光板１９とシャーシ１４における長辺側の各側板１４ｂとの間に介在するようそれぞれ配され、シャーシ１４に対してはＺ軸方向に沿って表側から収容されるようになっている。各ＬＥＤ基板１８は、ＬＥＤ１７が実装される実装面１８ａとは反対側の板面がシャーシ１４における長辺側の各側板１４ｂの内面に接する形でそれぞれ取り付けられている。従って、各ＬＥＤ基板１８にそれぞれ実装された各ＬＥＤ１７の発光面１７ａが対向状をなすとともに、各ＬＥＤ１７における光軸がＹ軸方向（液晶パネル１１の板面に並行する方向）とほぼ一致する。
【００４３】
ＬＥＤ基板１８の板面のうち、内側を向いた板面は、図３及び図４に示すように、導光板１９の長辺側の端面（後述する光入射面２２）と対向状をなしており、当該板面には、複数（図４では２６個）のＬＥＤ１７がＬＥＤ基板１８の長辺方向（液晶パネル１１及び導光板１９の長辺方向、Ｘ軸方向）に沿って間欠的に並んで配されている。各ＬＥＤ１７は、ＬＥＤ基板１８における導光板１９側を向いた板面（導光板１９との対向面）に表面実装されており、ここが実装面１８ａとされている。ＬＥＤ基板１８の実装面１８ａには、Ｘ軸方向に沿って延在するとともにＬＥＤ１７群を横切って隣り合うＬＥＤ１７同士を直列接続する、金属膜（銅箔など）からなる配線パターン（図示せず）が形成されており、この配線パターンの端部に形成された端子部に対して図示しないＬＥＤ駆動回路基板が配線部材などを介して電気的に接続されることで、ＬＥＤ駆動回路基板からの駆動電力が各ＬＥＤ１７に供給されるようになっている。このＬＥＤ基板１８は、板面の片面のみが実装面１８ａとされる片面実装タイプとされている。また、Ｘ軸方向について隣り合うＬＥＤ１７間の間隔、つまりＬＥＤ１７の配列間隔（配列ピッチ）は、ほぼ等しいものとされる。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００４４】
導光板１９は、屈折率が空気よりも十分に高く且つほぼ透明な（透光性に優れた）合成樹脂材料（例えばＰＭＭＡなどのアクリル樹脂やポリカーボネートなど）からなる。導光板１９は、図２に示すように、液晶パネル１１及びシャーシ１４と同様に平面に視て横長の方形状をなすとともに光学シート１５よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板１９は、図２及び図３に示すように、シャーシ１４内において液晶パネル１１及び光学シート１５の直下位置に配されており、その外周端面のうちの長辺側の一対の端面がシャーシ１４における長辺側の両端部に配された対をなすＬＥＤ基板１８及びそこに実装された各ＬＥＤ１７とそれぞれ対向状をなしている。従って、ＬＥＤ１７（ＬＥＤ基板１８）と導光板１９との並び方向がＹ軸方向と一致するのに対して、光学シート１５（液晶パネル１１）と導光板１９との並び方向がＺ軸方向と一致しており、両並び方向が互いに直交するものとされる。そして、導光板１９は、ＬＥＤ１７からＹ軸方向に沿って発せられた光を長辺側の端面から導入するとともに、その光を内部で伝播させつつ光学シート１５側（表側、光出射側）へ向くよう立ち上げて板面から出射させる機能を有する。
【００４５】
導光板１９は、図２及び図４に示すように、シャーシ１４の底板１４ａ及び光学シート１５の各板面に沿って延在する略平板状をなしており、その板面がＸ軸方向及びＹ軸方向に並行するものとされる。導光板１９の表裏一対の板面のうち、表側を向いた板面（光学シート１５との対向面）が内部の光を光学シート１５及び液晶パネル１１に向けて出射させる光出射面１９ａとなっている。導光板１９における板面に対して隣り合う外周端面は、一方の長辺側の端面である第１端面１９ｂと、他方の長辺側の端面である第２端面１９ｃと、一方の短辺側の端面である第３端面１９ｄと、他方の短辺側の端面である第４端面１９ｅとから構成される。このうち、対辺をなす一対の長辺側の端面である第１端面１９ｂ及び第２端面１９ｃは、それぞれＬＥＤ１７（ＬＥＤ基板１８）と所定の空間を空けて対向状をなしており、これらＬＥＤ１７から発せられた光が入射される一対の光入射面２２となっている。これら一対の光入射面２２は、ＬＥＤ１７と対向状をなしていることから、「ＬＥＤ対向端面（光源対向端面）」を構成している、とも言える。これに対して、導光板１９における板面に対して隣り合う外周端面のうち、対辺をなすとともに上記した光入射面２２を含まない一対の短辺側の端面である第３端面１９ｄ及び第４端面１９ｅは、それぞれＬＥＤ１７とは対向しないＬＥＤ非対向端面（光源非対向端面）とされ、ＬＥＤ１７からの光が直接入射されることがないものとされている。一方の光入射面２２と対向する各ＬＥＤ１７との間の距離と、他方の光入射面２２と対向する各ＬＥＤ１７との間の距離とは、ほぼ同一とされる。また、各光入射面２２は、Ｘ軸方向（ＬＥＤ１７の並び方向）及びＺ軸方向、つまりＬＥＤ基板１８の板面に沿って並行する面とされ、光出射面１９ａに対して略直交する面とされる。また、ＬＥＤ１７と光入射面２２との並び方向は、Ｙ軸方向と一致しており、光出射面１９ａに並行している。なお、以下では、一対の光入射面２２のうち図４に示す下側のものを「第１光入射面」としてその符号に添え字Ａを付すのに対し、一対の光入射面２２のうち図４に示す上側のものを「第２光入射面」としてその符号に添え字Ｂを付すものとし、光入射面２２を区別せずに総称する場合には、符号に添え字を付さないものとする。
【００４６】
導光板１９における裏側、つまり光出射面１９ａとは反対側の反対板面（シャーシ１４の底板１４ａとの対向面）１９ｆには、図２及び図３に示すように、その反対板面１９ｆから裏側外部に出射した光を反射して表側へ立ち上げることが可能な反射シート２０がそのほぼ全域を覆う形で設けられている。言い換えると、反射シート２０は、シャーシ１４の底板１４ａと導光板１９との間に挟まれた形で配されている。この反射シート２０のうち、両長辺側の端部、つまり導光板１９における各光入射面２２側の端部は、光入射面２２よりも外側、つまりＬＥＤ１７側に向けて延出されている。この反射シート２０の延出部分によりＬＥＤ基板１８と光入射面２２との間に有される空間に存在する光を反射することで、光入射面２２に対する光の入射効率を高いものとすることができる。そして、導光板１９における反対板面１９ｆには、図４に示すように、導光板１９内の光を光出射面１９ａに向けて反射させることで光出射面１９ａから出射させるための光反射部２３からなる光反射パターンＬＲＰが形成されている。この光反射パターンＬＲＰに関しては、後に詳しく説明する。なお、図４では、光反射パターンＬＲＰをなす光反射部２３を網掛け状にして図示している。
【００４７】
スペーサ２１は、図２及び図３に示すように、シャーシ１４及び導光板１９の各辺部に沿ってそれぞれ延在する略平板状をなしており、合計４枚が備えられている。各スペーサ２１は、シャーシ１４の突出部１４ａ１の突出先端面上に載置されており、導光板１９及び反射シート２０の外周端部と表側から平面に視て重畳する配置とされる。従って、各スペーサ２１は、導光板１９の外周端部との間で反射シート２０の外周端部を挟み込む形で配されている。このように、反射シート２０は、スペーサ２１及び導光板１９によって外周端部の固定化が図られるので、導光板１９の板面に沿う方向（Ｘ軸方向及びＹ軸方向）について移動するのが規制される。これにより、特に反射シート２０の外周端部のうちの各長辺側の端部は、導光板１９の外周端部のうちの光入射面２２を有する各長辺側の端部との間に隙間が生じ難くなるので、光入射面２２に入射した光を適切に反射させて導光板１９内を伝播させることが可能とされる。なお、反射シート２０の外周端部の一部をスペーサ２１と導光板１９との間に挟持されない構成とすることで、当該外周端部の一部を導光板１９の板面に沿う方向への移動が許容されるものとすることも可能であり、そのようにすれば、反射シート２０が熱膨張などしたときに皺などが生じ難くなる。
【００４８】
ここで、光反射パターンＬＲＰをなす光反射部２３に関して詳しく説明する。光反射部２３は、図４に示すように、導光板１９における反対板面１９ｆに光反射性材料を印刷することで形成されており、表現を改めれば光反射印刷部であると言える。光反射部２３には、光反射性材料として例えば酸化チタンなどの金属酸化物を含有する白色を呈するインク（ペースト）が用いられている。光反射部２３は、図６及び図７に示すように、上記したインクからなる反射膜によって構成される多数のドット２３ａを、導光板１９の反対板面１９ｆ内に所定の分布でもって分散配置することで構成されている。光反射部２３をなすドット２３ａは、平面に視てほぼ円形状をなすとともに、反対板面１９ｆの面内において千鳥状（ジグザグ状）に分散配置されており、同面内におけるＸ軸方向及びＹ軸方向の位置に応じてその径寸法（面積）が変化するものの、配列ピッチについてはほぼ一定とされている。この光反射部２３は、導光板１９内に入射した光のうち反対板面１９ｆに達した光を散乱反射しつつ光出射面１９ａに向かわせるとともに、光出射面１９ａに対する入射角を、光を反対板面１９ｆにおける光反射部２３の非形成部位にて全反射した場合との比較で変化させることで、当該入射角が臨界角を超えない値となる光を生じさせ、もって光出射面１９ａからの光の出射を促すことができるものとされている。光出射面１９ａにおける単位面積当たりの出射光量（輝度）は、反対板面１９ｆにおける光反射部２３の分布密度、つまり反対板面１９ｆの単位面積当たりの光反射部２３の面積比率が高くなるほど多くなり、逆に同分布密度が低くなるほど少なくなる傾向にある。光反射部２３の面積比率を高くする（出射光量を増加する）には、ドット２３ａの径寸法を大きくし、逆に光反射部２３の面積比率を低くする（出射光量を少なくする）には、ドット２３ａの径寸法を小さくすればよい。導光板１９に光反射部２３を形成する際には、例えばシルク印刷（スクリーン印刷）、インクジェット印刷などの印刷手法が用いられている。このうち、シルク印刷を用いれば、導光板１９を大量に量産する場合に製造コストを低減することができる。一方、インクジェット印刷を用いれば、光反射部２３を複雑な形態とする場合に高い精度でもって光反射部２３を形成することができる。
【００４９】
続いて、導光板１９の反対板面１９ｆにおける光反射パターンＬＲＰをなす光反射部２３の具体的な分布の概略について説明する。なお、以下では、導光板１９の外周端面のうち、対辺をなし且つ光入射面２２を含まない第３端面１９ｄ及び第４端面１９ｅに沿う方向（Ｙ軸方向）を第１方向とし、対辺をなし且つ光入射面２２を含む第１端面１９ｂ及び第２端面１９ｃに沿う方向（Ｘ軸方向）を第２方向とする。光反射パターンＬＲＰをなす光反射部２３は、図４に示すように、導光板１９の反対板面１９ｆにおいて、第１方向について中央側の領域ほど分布密度が高くなり、第１方向について各光入射面２２に近い両端側の領域ほど分布密度が低くなるよう形成されている。このような分布とするため、光反射部２３をなすドット２３ａは、反対板面１９ｆにおいて第１方向について両端位置から中央位置に至るまで、その径寸法が連続的に漸次大きくなり、逆に第１方向について中央位置から両端位置に至るまでその径寸法が連続的に漸次小さくなるよう形成されている。各ＬＥＤ１７から各光入射面２２に入射した光は、導光板１９内を第１方向に沿って各光入射面２２に近い両端側の領域から中央側の領域に向けて伝播するが、上記のような光反射部２３の分布によれば、第１方向について各光入射面２２に近い両端側の領域ほど光反射部２３による散乱反射が抑制されるのに対し、第１方向について中央側の領域ほど光反射部２３による散乱反射が促進されるので、光出射面１９ａからの出射光量の分布、つまり輝度分布が第１方向について均一化が図られるようになっている。一方、光反射パターンＬＲＰをなす光反射部２３は、導光板１９の反対板面１９ｆにおいて、第２方向について中央側の領域ほど分布密度が低くなり、第２方向について両端側の領域ほど分布密度が高くなるよう形成されている。このような分布とするため、光反射部２３をなすドット２３ａは、反対板面１９ｆにおいて第２方向について両端位置から中央位置に至るまで、その径寸法が連続的に漸次小さくなり、逆に第２方向について中央位置から両端位置に至るまでその径寸法が連続的に漸次大きくなるよう形成されている。各ＬＥＤ１７から各光入射面２２に入射した光は、導光板１９内において、第２方向について中央側の領域ほど多くなり、第２方向について両端側の領域ほど少なくなる形で分布する傾向にあるものの、上記のような光反射部２３の分布によれば、第２方向について中央側の領域ほど光反射部２３による散乱反射が抑制されるのに対し、第２方向について両端側の領域ほど光反射部２３による散乱反射が促進されるので、光出射面１９ａからの出射光量の分布、つまり輝度分布が第２方向について均一化が図られるようになっている。
【００５０】
ところで、第２方向についての輝度分布の均一化がより高いレベルで求められた場合には、例えば、第２方向について中央側の領域と端側の領域とで光反射パターンをなす光反射部の分布密度の差をより大きくすることが考えられる。しかしながら、そうすると第２方向についての端側の領域において光反射パターンをなす光反射部による光の反射量が多くなるのに伴って光が導光板１９の光出射面１９ａではない第３端面１９ｄや第４端面１９ｅから出射し易くなり、光の利用効率が低下するおそれがある。しかも、上記のように第２方向について中央側の領域と端側の領域とで光反射パターンをなす光反射部の分布密度の差を大きくすると、導光板１９の製造工程のうち光反射パターンを導光板１９に形成する際の製造上の理由から、光反射パターンをなす光反射部の分布密度に濃淡のムラが生じた場合、第２方向について中央側の領域と端側の領域との分布密度の差が設定よりも大きくなりがちとされ、そのため第２方向についての中央側の領域において輝度が著しく低下することが懸念される。
【００５１】
そこで、本実施形態に係る光反射パターンＬＲＰは、図４に示すように、導光板１９の反対板面１９ｆにおいて第１方向について中央側の領域における第２方向についての端側の領域と同中央側の領域との光反射部２３の分布密度の差が、第１方向について光入射面２２に近い端側の領域における第２方向についての端側の領域と同中央側の領域との光反射部２３の分布密度の差よりも相対的に大きくなる分布でもって形成されている。このようにすれば、導光板１９のうち、第１方向について光入射面２２に近い端側の領域では、第１方向について中央側の領域に比べると、第２方向についての中央側の領域から同端側の領域へと光が導入され難くなる。導光板１９のうち、第１方向について光入射面２２に近い端側の領域における第２方向についての端側の領域では、内部に存在する光量が、第１方向について中央側の領域における第２方向についての端側の領域よりも多くなっていることから、上記のように第２方向についての中央側の領域から同端側の領域へと光が導入され難くすることで、第２方向についての端側の領域において光反射パターンＬＲＰをなす光反射部２３により反射された光が導光板１９の光出射面１９ａではない第３端面１９ｄや第４端面１９ｅから出射されるのが抑制され、それにより光の利用効率が高いものとなる。これに対して、導光板１９のうち、第１方向について中央側の領域では、第１方向について光入射面２２に近い端側の領域に比べると、第２方向についての中央側の領域から同端側の領域へと光が導入され易くなるので、光量が不足しがちな第２方向についての端側の領域に光が十分に供給され、それにより輝度分布の均一性が高いものとなる。しかも、導光板１９の製造工程のうち光反射パターンＬＲＰを反対板面１９ｆに形成する際の製造上の理由から、光反射パターンＬＲＰをなす光反射部２３の分布密度に濃淡のムラが生じた場合であっても、第２方向について中央側の領域と端側の領域とにおける光反射パターンＬＲＰをなす光反射部２３の分布密度の差が変動し難くなり、それにより第２方向について中央側において輝度が低下し難くなる。以上のように、従来のような特殊な構造の光学シートを用いることなく、導光板１９単体によって輝度分布の均一性を向上させることができるので、部材コストを低減できるとともに光の利用効率を一層向上させることができる。
【００５２】
光反射パターンＬＲＰの分布に関してより詳しく説明するが、それに先立って、導光板１９の反対板面１９ｆを平面に視て下記のように区分する。すなわち、反対板面１９ｆは、図５に示すように、第１方向に関して、中央側の第１中央側領域２４と、第１光入射面２２Ａに近い端側（図５に示す下端側）の第１光入射面側領域２５と、第１中央側領域２４と第１光入射面側領域２５との間に位置する第１光入射面側中間領域２６と、第２光入射面２２Ｂに近い端側（図５に示す上端側）の第２光入射面側領域２７と、第１中央側領域２４と第２光入射面側領域２７との間に位置する第２光入射面側中間領域２８と、に５等分される。これらの各領域２４〜２８における面積比率はいずれも等しいものとされる。さらには、反対板面１９ｆにおける第１中央側領域２４、第１光入射面側領域２５、第１光入射面側中間領域２６、第２光入射面側領域２７及び第２光入射面側中間領域２８は、第２方向に関して、それぞれ中央側の第２中央側領域２９と、一方の端側（図５に示す左端側）の一端側領域３０と、第２中央側領域２９と一端側領域３０との間に位置する一端側中間領域３１と、他方の端側（図５に示す右端側）の他端側領域３２と、第２中央側領域２９と他端側領域３２との間に位置する他端側中間領域３３と、に５等分される。これらの各領域２９〜３３における面積比率はいずれも等しいものとされる。また、図５は、上記した反対板面１９ｆの区分を図示するためのものであり、光反射パターンＬＲＰに関しては図示を省略している。
【００５３】
導光板１９の反対板面１９ｆにおける光反射パターンＬＲＰの分布は、図８及び図９に示される通りである。図８は、導光板１９の反対板面１９ｆにおける第２中央側領域２９、一端側領域３０、一端側中間領域３１、他端側領域３２及び他端側中間領域３３において第１方向に沿ってＹ１端からＹ２端に至るまで、光反射部２３の分布密度をプロットしたグラフとなっている。各領域２９〜３３の面積比率が互いに等しいことから、光反射部２３の分布密度が高い領域では、光出射面１９ａからの出射光量が相対的に多く、逆に光反射部２３の分布密度が低い領域では、光出射面１９ａからの出射光量が相対的に少なくなる。図９は、導光板１９の反対板面１９ｆにおける第１中央側領域２４、第１光入射面側領域２５、第１光入射面側中間領域２６、第２光入射面側領域２７、及び第２光入射面側中間領域２８において第２方向に沿ってＸ１端からＸ２端に至るまで、光反射部２３の分布密度をプロットしたグラフとなっている。各領域２４〜２８の面積比率が互いに等しいことから、光反射部２３の分布密度が高い領域では、光出射面１９ａからの出射光量が相対的に多く、逆に光反射部２３の分布密度が低い領域では、光出射面１９ａからの出射光量が相対的に少なくなる。なお、図８及び図９の横軸に記載されたＹ１端、Ｙ中央、Ｙ２端、Ｘ１端、Ｘ中央、及びＸ２端は、図４及び図５中に記載された符号により示される位置と一致している。
【００５４】
先に、第１方向についての光反射パターンＬＲＰの分布について説明する。第２方向について区分された各領域２９〜３３では、図８に示すように、第１方向について第１中央側領域２４において最も光反射部２３の分布密度が高く、そこから各光入射面側中間領域２６，２８、各光入射面側領域２５，２７の順で光反射部２３の分布密度が低くなっている。各領域２９〜３３において、第１光入射面側領域２５及び第２光入射面側領域２７における光反射部２３の分布密度が等しくされ、第１光入射面側中間領域２６及び第２光入射面側中間領域２８における光反射部２３の分布密度が等しくされている。つまり、光反射パターンＬＲＰは、光反射部２３が第１方向について対称をなす分布となるよう形成されている。第１方向についての光反射部２３の分布密度の変化率（図８に示されるグラフの傾き、隣り合う領域２４〜２８間の光反射部２３の分布密度の差）に関しては、各端側領域３０，３２における同変化率が、第１方向について全域にわたって、第２中央側領域２９及び各端側中間領域３１，３３における同変化率よりも大きくなっている。詳しくは、第２中央側領域２９における各光入射面側領域２５，２７から各光入射面側中間領域２６，２８までの同変化率が最も小さく、その次に各端側中間領域３１，３３における各光入射面側領域２５，２７から各光入射面側中間領域２６，２８までの同変化率が小さくなっている。その次に小さいのが、各端側領域３０，３２における各光入射面側領域２５，２７から各光入射面側中間領域２６，２８までの同変化率と、第２中央側領域２９における各光入射面側中間領域２６，２８から第１中央側領域２４までの同変化率と、各端側中間領域３１，３３における各光入射面側中間領域２６，２８から第１中央側領域２４までの同変化率と、であり、これらは互いにほぼ等しくなっている。そして、最も大きいのが、各端側領域３０，３２における各光入射面側中間領域２６，２８から第１中央側領域２４までの同変化率とされる。なお、第２中央側領域２９における各光入射面側領域２５，２７と、各端側中間領域３１，３３における各光入射面側領域２５，２７との光反射部２３の分布密度は、互いに等しいものとされる。
【００５５】
次に、第２方向についての光反射パターンＬＲＰの分布について説明する。第１方向について区分された各領域２４〜２８では、図９に示すように、第２方向について第２中央側領域２９において最も光反射部２３の分布密度が低く、そこから各端側中間領域３１，３３、各端側領域３０，３２の順で光反射部２３の分布密度が高くなっている。各領域２４〜２８において、一端側領域３０及び他端側中間領域３３における光反射部２３の分布密度が等しくされ、一端側中間領域３１及び他端側中間領域３３における光反射部２３の分布密度が等しくされている。つまり、光反射パターンＬＲＰは、光反射部２３が第２方向について対称をなす分布となるよう形成されている。第２方向についての光反射部２３の分布密度の変化率（図９に示されるグラフの傾き、隣り合う領域２９〜３３間の光反射部２３の分布密度の差）に関しては、第１中央側領域２４における同変化率が、各光入射面側中間領域２６，２８及び各光入射面側領域２５，２７における同変化率よりも概して大きくなっている。詳しくは、各光入射面側領域２５，２７における第２中央側領域２９から各端側中間領域３１，３３までの同変化率が最も小さく、その次に各光入射面側領域２５，２７における各端側中間領域３１，３３から各端側領域３０，３２までの同変化率が小さくなっている。その次に小さいのが、各光入射面側中間領域２６，２８における第２中央側領域２９から各端側中間領域３１，３３までの同変化率と、第１中央側領域２４における第２中央側領域２９から各端側中間領域３１，３３までの同変化率と、であり、これらは互いにほぼ等しくなっている。その次に小さいのが、各光入射面側中間領域２６，２８における各端側中間領域３１，３３から各端側領域３０，３２までの同変化率とされる。そして、最も大きいのが、第１中央側領域２４における各端側中間領域３１，３３から各端側領域３０，３２までの同変化率とされる。なお、各光入射面側領域２５，２７における第２中央側領域２９と、各端側中間領域３１，３３との光反射部２３の分布密度は、互いに等しいものとされる。
【００５６】
図８及び図９に示される光反射パターンＬＲＰの分布は、次に示される式（３）〜（８）を満たすものとされる。ここでは、第１中央側領域２４における光反射部２３の分布密度を、第２方向について各端側領域３０，３２、各端側中間領域３１，３３、第２中央側領域２９の順でそれぞれＲＤａ，ＲＤｂ，ＲＤｃとし、各光入射面側領域２５，２７における光反射部２３の分布密度を、第２方向について各端側領域３０，３２、各端側中間領域３１，３３、第２中央側領域２９の順でそれぞれＲＤｄ，ＲＤｅ，ＲＤｆとし、各光入射面側中間領域２６，２８における光反射部２３の分布密度を、第２方向について各端側領域３０，３２、各端側中間領域３１，３３、第２中央側領域２９の順でそれぞれＲＤｇ，ＲＤｈ，ＲＤｉとしている。
【００５７】
（ＲＤｂ−ＲＤｃ）＜（ＲＤａ−ＲＤｂ）          （３）
【００５８】
（ＲＤｅ−ＲＤｆ）＜（ＲＤｄ−ＲＤｅ）          （４）
【００５９】
（ＲＤｈ−ＲＤｉ）＜（ＲＤｇ−ＲＤｈ）          （５）
【００６０】
（（ＲＤｄ−ＲＤｅ）−（ＲＤｅ−ＲＤｆ））＜（（ＲＤａ−ＲＤｂ）−（ＲＤｂ−ＲＤｃ））          （６）
【００６１】
（（ＲＤｇ−ＲＤｈ）−（ＲＤｈ−ＲＤｉ））＜（（ＲＤａ−ＲＤｂ）−（ＲＤｂ−ＲＤｃ））          （７）
【００６２】
（（ＲＤｄ−ＲＤｅ）−（ＲＤｅ−ＲＤｆ））＜（（ＲＤｇ−ＲＤｈ）−（ＲＤｈ−ＲＤｉ））          （８）
【００６３】
上記した式（３）〜（５）によれば、第１中央側領域２４における各端側領域３０，３２の光反射部２３の分布密度ＲＤａと各端側中間領域３１，３３の同分布密度ＲＤｂとの差が、各端側中間領域３１，３３の同分布密度ＲＤｂと第２中央側領域２９の同分布密度ＲＤｃとの差よりも大きく、各光入射面側中間領域２６，２８における各端側領域３０，３２の同分布密度ＲＤｇと各端側中間領域３１，３３の同分布密度ＲＤｈとの差が、各端側中間領域３１，３３の同分布密度ＲＤｈと第２中央側領域２９の同分布密度ＲＤｉとの差との差よりも大きく、各光入射面側領域２５，２７における各端側領域３０，３２の同分布密度ＲＤｄと各端側中間領域３１，３３の同分布密度ＲＤｅとの差が、各端側中間領域３１，３３の同分布密度ＲＤｅと第２中央側領域２９の同分布密度ＲＤｆとの差よりも大きいことが分かる。そして、上記した式（６），（７）によれば、第１中央側領域２４における各端側領域３０，３２の光反射部２３の分布密度ＲＤａと各端側中間領域３１，３３の同分布密度ＲＤｂとの差と、各端側中間領域３１，３３の同分布密度ＲＤｂと第２中央側領域２９の同分布密度ＲＤｃとの差との差（式（６），（７）の右辺）が、各光入射面側中間領域２６，２８における各端側領域３０，３２の同分布密度ＲＤｇと各端側中間領域３１，３３の同分布密度ＲＤｈとの差と、各端側中間領域３１，３３の同分布密度ＲＤｈと第２中央側領域２９の同分布密度ＲＤｉとの差との差（式（７）の左辺）、各光入射面側領域２５，２７における各端側領域３０，３２の同分布密度ＲＤｄと各端側中間領域３１，３３の同分布密度ＲＤｅとの差と、各端側中間領域３１，３３の同分布密度ＲＤｅと第２中央側領域２９の同分布密度ＲＤｆとの差との差（式（６）の左辺）、よりも大きく、最大とされることが分かる。上記した式（８）によれば、各光入射面側中間領域２６，２８における各端側領域３０，３２の同分布密度ＲＤｇと各端側中間領域３１，３３の同分布密度ＲＤｈとの差と、各端側中間領域３１，３３の同分布密度ＲＤｈと第２中央側領域２９の同分布密度ＲＤｉとの差との差（式（８）の右辺）が、各光入射面側領域２５，２７における各端側領域３０，３２の同分布密度ＲＤｄと各端側中間領域３１，３３の同分布密度ＲＤｅとの差と、各端側中間領域３１，３３の同分布密度ＲＤｅと第２中央側領域２９の同分布密度ＲＤｆとの差との差（式（８）の左辺）よりも大きくされていることが分かる。
【００６４】
このような構成により、次の作用が得られる。すなわち、各光入射面側領域２５，２７及び各光入射面側中間領域２６，２８では、それぞれ各端側領域３０，３２と各端側中間領域３１，３３との間における光反射部２３の分布密度の差と、各端側中間領域３１，３３と第２中央側領域２９との間の光反射部２３の分布密度の差との差（式（６），（７）の左辺）が、第１中央側領域２４の同差（式（６），（７）の右辺）に比べて相対的に小さくなっているから、相対的に第２中央側領域２９から各端側中間領域３１，３３を介して各端側領域３０，３２へと光が導入され難くなる。これにより、各光入射面側領域２５，２７及び各光入射面側中間領域２６，２８における各端側領域３０，３２においては、光反射パターンＬＲＰをなす光反射部２３により反射された光が導光板１９の光出射面１９ａではない第３端面１９ｄや第４端面１９ｅから出射されるのが抑制され、もって光の利用効率が高いものとされる。これに対し、第１中央側領域２４では、各端側領域３０，３２と各端側中間領域３１，３３との間における光反射部２３の分布密度の差と、各端側中間領域３１，３３と第２中央側領域２９との間の光反射部２３の分布密度の差との差（式（６），（７）の右辺）が、第１光入射面側領域２５、第１光入射面側中間領域２６、第２光入射面側領域２７及び第２光入射面側中間領域２８の同差（式（６），（７）の左辺）のいずれよりも相対的に大きくなっているから、相対的に第２中央側領域２９から各端側中間領域３１，３３を介して各端側領域３０，３２へと光が導入され易くなる。これにより、第１中央側領域２４における各端側領域３０，３２においては、光反射パターンＬＨＲをなす光反射部２３により反射された光が効率的に光出射面１９ａから出射されるので、第１光入射面側領域２５、第１光入射面側中間領域２６、第２光入射面側領域２７及び第２光入射面側中間領域２８におけるそれぞれの各端側領域３０，３２との間に生じ得る輝度差が緩和され、もって輝度分布の均一性が高いものとなる。そして、導光板１９の製造工程のうち光反射パターンＬＲＰを反対板面１９ｆに形成する際の製造上の理由から、光反射パターンＬＲＰをなす光反射部２３の分布密度に濃淡のムラが生じた場合であっても、第２方向について第２中央側領域２９と各端側中間領域３１，３３と各端側領域３０，３２とにおける光反射パターンＬＲＰをなす光反射部２３の分布密度の差が変動し難くなっているから、第２中央側領域２９の全域において輝度が低下し難くなる。
【００６５】
以上により、第１中央側領域２４における一端側領域３０、第２中央側領域２９、及び他端側領域３２と、第１光入射面側領域２５における一端側領域３０、第２中央側領域２９、及び他端側領域３２と、第２光入射面側領域２７における一端側領域３０、第２中央側領域２９、及び他端側領域３２と、の合計９領域において輝度分布の均一化が図られることで、この導光板１９からの出射光を利用して液晶表示装置１０の液晶パネル１１に表示される画像に係る表示品位が極めて高いものとなる。このように、上記した合計９領域において輝度分布の均一化が図られることが、液晶表示装置１０の液晶パネル１１に表示される画像に係る表示品位を高めることとなるのは、表示画像の表示品位を評価するに際して経験上知られたことであり、例えばＴＨＸ（登録商標）規格などの表示画像の表示品位を客観的に評価するための評価規格においても上記した合計９領域における輝度分布の均一性に関する評価を評価要素の１つとして取り入れていることからも明らかである。
【００６６】
さらには、図８及び図９に示される光反射パターンＬＲＰの分布は、次に示される式（９）〜（１１）を満たすものとされる。式（９）によれば、第１中央側領域２４における一端側領域３０の光反射部２３の分布密度ＲＤａと第２中央側領域２９の同分布密度ＲＤｃとの差が、各光入射面側中間領域２６，２８における一端側領域３０の同分布密度ＲＤｇと第２中央側領域２９の同分布密度ＲＤｉとの差よりも大きくなっており、各光入射面側領域２５，２７における一端側領域３０の同分布密度ＲＤｄと第２中央側領域２９の同分布密度ＲＤｆとの差が最小であることが分かる。式（１０）によれば、第１中央側領域２４における一端側領域３０の光反射部２３の分布密度ＲＤａと一端側中間領域３１の同分布密度ＲＤｂとの差が、各光入射面側中間領域２６，２８における一端側領域３０の同分布密度ＲＤｇと一端側中間領域３１の同分布密度ＲＤｈとの差よりも大きくなっており、各光入射面側領域２５，２７における一端側領域３０の同分布密度ＲＤｄと一端側中間領域３１の同分布密度ＲＤｅとの差が最小であることが分かる。式（１１）によれば、第１中央側領域２４における一端側中間領域３１の同分布密度ＲＤｂと第２中央側領域２９の同分布密度ＲＤｃとの差が、各光入射面側中間領域２６，２８における一端側中間領域３１の同分布密度ＲＤｈと第２中央側領域２９の同分布密度ＲＤｉとの差よりも大きくなっており、各光入射面側領域２５，２７における一端側中間領域３１の同分布密度ＲＤｅと第２中央側領域２９の同分布密度ＲＤｆとの差が最小であることが分かる。
【００６７】
（ＲＤｄ−ＲＤｆ）＜（ＲＤｇ−ＲＤｉ）＜（ＲＤａ−ＲＤｃ）          （９）
【００６８】
（ＲＤｄ−ＲＤｅ）＜（ＲＤｇ−ＲＤｈ）＜（ＲＤａ−ＲＤｂ）          （１０）
【００６９】
（ＲＤｅ−ＲＤｆ）＜（ＲＤｈ−ＲＤｉ）＜（ＲＤｂ−ＲＤｃ）          （１１）
【００７０】
上記した式（３）〜（１１）から以下の光反射パターンＬＲＰは、次のような分布を有しているとも言える。すなわち、導光板１９の反対板面１９ｆを、図１０に示すように、第１方向について中央側の領域３４と、第１方向について第１光入射面２２Ａに近い端側の領域（図１０に示す下側の領域）３５と、第１方向について第２光入射面２２Ｂに近い端側の領域（図１０に示す上側の領域）３６との３つに区分するとともに、第２方向について中央側の領域３７と、第２方向について一対の端側の領域（図１０に示す左右両端側の領域）３８，３９との３つに区分したとき、光反射パターンＬＲＰは、第１方向について中央側の領域３４が、第１光入射面２２Ａに近い端側の領域３５、及び第２光入射面２２Ｂに近い端側の領域３６よりも光反射部２３の分布密度が高くなり、さらには、第１方向について中央側の領域３４における第２方向についての端側の領域（各端側領域３０，３２または各端側中間領域３１，３３）３８，３９と同中央側の領域（各端側中間領域３１，３３または第２中央側領域２９）３７との光反射部２３の分布密度の差が、第１方向について第１光入射面２２Ａに近い端側の領域３５における第２方向についての端側の領域（各端側領域３０，３２または各端側中間領域３１，３３）３８，３９と同中央側の領域（各端側中間領域３１，３３または第２中央側領域２９）３７との光反射部２３の分布密度の差よりも大きく、且つ第１方向について第２光入射面２２Ｂに近い端側の領域３６における第２方向についての端側の領域（各端側領域３０，３２または各端側中間領域３１，３３）３８，３９と同中央側の領域（各端側中間領域３１，３３または第２中央側領域２９）３７との光反射部２３の分布密度の差よりも大きくなるよう形成されている。このような構成によれば、まず、光反射パターンＬＲＰは、第１方向について中央側の領域３４が、第１光入射面２２Ａに近い端側の領域３５、及び第２光入射面２２Ｂに近い端側の領域３６よりも光反射部２３の分布密度が高くなっているので、第１方向について出射光量、つまり輝度分布の均一性が高められる。その上で、第１方向について第１光入射面２２Ａに近い端側の領域３５、及び第１方向について第２光入射面２２Ｂに近い端側の領域３６では、第１方向について中央側の領域３４に比べると、第２方向についての中央側の領域３７から同端側の領域３８，３９へと光が導入され難くなっている。第１方向について第１光入射面２２Ａに近い端側の領域３５、及び第１方向について第２光入射面２２Ｂに近い端側の領域３６におけるそれぞれの第２方向についての端側の領域３８，３９では、内部に存在する光量が、第１方向について中央側の領域３４における第２方向についての端側の領域３８，３９よりも多くなっていることから、上記のように第２方向についての中央側の領域３７から同端側の領域３８，３９へと光が導入され難くすることで、第２方向についての端側の領域３８，３９において光反射パターンＬＲＰをなす光反射部２３により反射された光が導光板１９の光出射面１９ａではない第３端面１９ｄや第４端面１９ｅから出射されるのが抑制され、それにより光の利用効率が高いものとなる。これに対して、第１方向について中央側の領域３４では、第１方向について第１光入射面２２Ａに近い端側の領域３５、及び第１方向について第２光入射面２２Ｂに近い端側の領域３６に比べると、第２方向についての中央側の領域３７から同端側の領域３８，３９へと光が導入され易くなるので、光量が不足しがちな第２方向についての端側の領域３８，３９に光が十分に供給され、それにより輝度分布の均一性が高いものとなる。
【００７１】
以上説明したように本実施形態の導光板１９は、方形の板状をなし、外周端面のうち対辺をなす一対の端面の少なくともいずれか一方の端面からなり、ＬＥＤ（光源）１７からの光が入射される光入射面２２と、一対の板面のうちの一方の板面からなり、光を出射させる光出射面１９ａと、一対の板面のうち光出射面１９ａとは反対側の板面からなる反対板面１９ｆと、反対板面１９ｆに形成されて光を光出射面１９ａから出射させるための光反射部２３からなる光反射パターンＬＲＰであって、外周端面のうち対辺をなすとともに光入射面２２を含まない一対の端面に沿う方向を第１方向とし、外周端面のうち光入射面２２を含む一対の端面に沿う方向を第２方向とした上で、反対板面１９ｆを、少なくとも第２方向について中央側の領域と、第２方向について端側の領域とに区分したとき、前者よりも後者の方が光反射部２３の分布密度が相対的に高くなり、さらには反対板面１９ｆを、少なくとも第１方向について中央側の領域と、第１方向について光入射面２２に近い端側の領域とに区分したとき、後者よりも前者の方が光反射部２３の分布密度が相対的に高くなるとともに、前者における第２方向についての端側の領域と同中央側の領域との光反射部２３の分布密度の差が、後者における第２方向についての端側の領域と同中央側の領域との光反射部２３の分布密度の差よりも相対的に大きくなる分布を有する光反射パターンＬＲＰと、を備える。
【００７２】
光入射面２２に入射したＬＥＤ１７からの光は、内部を伝播する過程で反対板面１９ｆに形成された光反射パターンＬＲＰをなす光反射部２３により反射されることで光出射面１９ａからの出射が促され、その出射光量は光反射パターンＬＲＰをなす光反射部２３の分布密度が高ければ多くなり、低ければ少なくなる傾向とされる。従って、光反射パターンＬＲＰが、反対板面１９ｆにおいて第１方向について中央側の領域が第１方向について光入射面２２に近い端側の領域よりも光反射部２３の分布密度が高くなるよう形成されることで、第１方向について出射光量、つまり輝度の均一性が高められる。そして、光反射パターンＬＲＰは、反対板面１９ｆにおいて第２方向について中央側の領域よりも第２方向について端側の領域の方が光反射部２３の分布密度が相対的に高くなる分布を有しているので、第２方向について中央側の領域に多く存在する光を、第２方向について端側に導くことができ、それにより第２方向について輝度の均一性が高められる。
【００７３】
それに加えて、光反射パターンＬＲＰは、反対板面１９ｆにおいて第１方向について中央側の領域における第２方向についての端側の領域と同中央側の領域との光反射部２３の分布密度の差が、第１方向について光入射面２２に近い端側の領域における第２方向についての端側の領域と同中央側の領域との光反射部２３の分布密度の差よりも相対的に大きくなる分布を有している。このようにすれば、第１方向について光入射面２２に近い端側の領域では、第１方向について中央側の領域に比べると、第２方向についての中央側の領域から同端側の領域へと光が導入され難くなる。第１方向について光入射面２２に近い端側の領域における第２方向についての端側の領域では、内部に存在する光量が、第１方向について中央側の領域における第２方向についての端側の領域よりも多くなっていることから、上記のように第２方向についての中央側の領域から同端側の領域へと光が導入され難くすることで、第２方向についての端側の領域において光反射パターンＬＲＰをなす光反射部２３により反射された光が導光板１９の光出射面１９ａではない端面から出射されるのが抑制され、それにより光の利用効率が高いものとなる。これに対して、第１方向について中央側の領域では、第１方向について光入射面２２に近い端側の領域に比べると、第２方向についての中央側の領域から同端側の領域へと光が導入され易くなるので、光量が不足しがちな第２方向についての端側の領域に光が十分に供給され、それにより輝度分布の均一性が高いものとなる。
【００７４】
しかも、当該導光板１９の製造工程のうち光反射パターンＬＲＰを反対板面１９ｆに形成する際の製造上の理由から、光反射パターンＬＲＰをなす光反射部２３の分布密度に濃淡のムラが生じた場合であっても、第２方向について中央側の領域と端側の領域とにおける光反射パターンＬＲＰをなす光反射部２３の分布密度の差が変動し難くなり、それにより第２方向について中央側において輝度が低下し難くなる。以上のように、従来のような特殊な構造の光学シートを用いることなく、輝度分布の均一性を向上させることができるので、部材コストを低減できるとともに光の利用効率を一層向上させることができる。
【００７５】
また、反対板面１９ｆを、少なくとも第２方向について中央側の領域（第２中央側領域２９）と、第２方向について端側の領域（各端側領域３０，３２）と、第２方向について中央側の領域と端側の領域との間に位置する中間領域（各端側中間領域３１，３３）とに区分したとき、光反射パターンＬＲＰは、第２方向についての端側の領域と同中間領域との間の光反射部２３の分布密度の差が、第２方向についての中間領域と同中央側の領域との間の光反射部２３の分布密度の差よりも大きくなるよう形成されている。このようにすれば、第２方向についての中間領域と同中央側の領域との間の光反射部２３の分布密度の差が相対的に小さくなっているから、より多くの光を第２方向について中央側の領域から中間領域を介して端側の領域へと導くことができる。これに対し、第２方向についての端側の領域と同中間領域との間の光反射部２３の分布密度の差が相対的に大きくなっているから、第２方向について中央側の領域から中間領域を介して端側の領域へと導かれた光を光反射部２３により反射して光出射面１９ａからの出射を促すことで、第２方向について中央側の領域及び中間領域との間に生じ得る輝度差が緩和され、輝度の均一性が高いものとなる。しかも、当該導光板１９の製造工程のうち光反射パターンＬＲＰを反対板面１９ｆに形成する際の製造上の理由から、光反射パターンＬＲＰをなす光反射部２３の分布密度に濃淡のムラが生じた場合であっても、第２方向について中央側の領域と端側の領域と中間領域とにおける光反射パターンＬＲＰをなす光反射部２３の分布密度の差がより変動し難くなり、それにより第２方向について中央側において輝度がより低下し難くなる。
【００７６】
また、反対板面１９ｆを、少なくとも第１方向について中央側の領域（第１中央側領域２４）と、第１方向について光入射面２２に近い端側の領域（各光入射面側領域２５，２７）と、第１方向について中央側の領域と光入射面２２に近い端側の領域との間に位置する中間領域（各光入射面側中間領域２６，２８）とに区分した上で、第１方向について中央側の領域における光反射部２３の分布密度を、第２方向について端側の領域、中間領域、中央側の領域の順でＲＤａ，ＲＤｂ，ＲＤｃとし、第１方向について光入射面２２に近い端側の領域における光反射部２３の分布密度を、第２方向について端側の領域、中間領域、中央側の領域の順でＲＤｄ，ＲＤｅ，ＲＤｆとし、第１方向について中央側の領域と光入射面２２に近い端側の領域との間に位置する中間領域における光反射部２３の分布密度を、第２方向について端側の領域、中間領域、中央側の領域の順でＲＤｇ，ＲＤｈ，ＲＤｉとしたとき、光反射パターンＬＲＰは、ＲＤａ〜ＲＤｉが上記した式（６），（７）を満たすよう形成されている。
【００７７】
このようにすれば、第１方向について光入射面２２に近い端側の領域と同中間領域とでは、それぞれ第２方向についての端側の領域と同中間領域との間における光反射部２３の分布密度の差と、第２方向についての中間領域と同中央側の領域との間における光反射部２３の分布密度の差との間の差が、第１方向について中央側の領域に比べて相対的に小さくなっているから、相対的に第２方向についての中央側の領域から同中間領域を介して同端側の領域へと光が導入され難くなる。これにより、第１方向について光入射面２２に近い端側の領域と同中間領域とにおける第２方向についての端側の領域においては、光反射パターンＬＲＰをなす光反射部２３により反射された光が導光板１９の光出射面１９ａではない端面から出射されるのが抑制され、もって光の利用効率が高いものとされる。
【００７８】
これに対し、第１方向について中央側の領域では、第２方向についての端側の領域と同中間領域との間における光反射部２３の分布密度の差と、第２方向についての中間領域と同中央側の領域との間における光反射部２３の分布密度の差との間の差が、第１方向について光入射面２２に近い端側の領域、及び同中間領域に比べて相対的に大きくなっているから、相対的に第２方向についての中央側の領域から同中間領域を介して同端側の領域へと光が導入され易くなる。これにより、第１方向について中央側の領域における第２方向についての端側の領域においては、光反射パターンＬＲＰをなす光反射部２３により反射された光が効率的に光出射面１９ａから出射されるので、第１方向について光入射面２２に近い端側の領域、及び同中間領域との間に生じ得る輝度差が緩和され、もって輝度分布の均一性が高いものとなる。しかも、当該導光板１９の製造工程のうち光反射パターンＬＲＰを反対板面１９ｆに形成する際の製造上の理由から、光反射パターンＬＲＰをなす光反射部２３の分布密度に濃淡のムラが生じた場合であっても、第２方向について中央側の領域と端側の領域と中間領域とにおける光反射パターンＬＲＰをなす光反射部２３の分布密度の差が一層変動し難くなり、それにより第２方向について中央側において輝度が一層低下し難くなる。
【００７９】
また、光入射面２２には、外周端面のうち対辺をなす一対の端面のうち、一方の端面からなり一方のＬＥＤ１７からの光が入射される第１光入射面２２Ａと、他方の端面からなり他方のＬＥＤ１７からの光が入射される第２光入射面２２Ｂとが含まれており、反対板面１９ｆを、少なくとも第１方向について中央側の領域３４と、第１方向について第１光入射面２２Ａに近い端側の領域３５と、第１方向について第２光入射面２２Ｂに近い端側の領域３６とに区分したとき、光反射パターンＬＲＰは、第１方向について中央側の領域３４が、第１光入射面２２Ａに近い端側の領域３５、及び第２光入射面２２Ｂに近い端側の領域３６よりも光反射部２３の分布密度が高くなり、さらには、第１方向について中央側の領域３４における第２方向についての端側の領域と同中央側の領域との光反射部２３の分布密度の差が、第１方向について第１光入射面２２Ａに近い端側の領域３５における第２方向についての端側の領域と同中央側の領域との光反射部２３の分布密度の差よりも大きく、且つ第１方向について第２光入射面２２Ｂに近い端側の領域３６における第２方向についての端側の領域と同中央側の領域との光反射部２３の分布密度の差よりも大きくなるよう形成されている。このようにすれば、まず、光反射パターンＬＲＰは、第１方向について中央側の領域３４が、第１光入射面２２Ａに近い端側の領域３５、及び第２光入射面２２Ｂに近い端側の領域３６よりも光反射部２３の分布密度が高くなっているので、第１方向について出射光量、つまり輝度分布の均一性が高められる。その上で、第１方向について第１光入射面２２Ａに近い端側の領域３５、及び第１方向について第２光入射面２２Ｂに近い端側の領域３６では、第１方向について中央側の領域３４に比べると、第２方向についての中央側の領域から同端側の領域へと光が導入され難くなっている。第１方向について第１光入射面２２Ａに近い端側の領域３５、及び第１方向について第２光入射面２２Ｂに近い端側の領域３６におけるそれぞれの第２方向についての端側の領域では、内部に存在する光量が、第１方向について中央側の領域３４における第２方向についての端側の領域よりも多くなっていることから、上記のように第２方向についての中央側の領域から同端側の領域へと光が導入され難くすることで、第２方向についての端側の領域において光反射パターンＬＲＰをなす光反射部２３により反射された光が導光板１９の光出射面１９ａではない端面から出射されるのが抑制され、それにより光の利用効率が高いものとなる。これに対して、第１方向について中央側の領域３４では、第１方向について第１光入射面２２Ａに近い端側の領域３５、及び第１方向について第２光入射面２２Ｂに近い端側の領域３６に比べると、第２方向についての中央側の領域から同端側の領域へと光が導入され易くなるので、光量が不足しがちな第２方向についての端側の領域に光が十分に供給され、それにより輝度分布の均一性が高いものとなる。
【００８０】
また、反対板面１９ｆを、少なくとも第１方向について中央側の第１中央側領域２４と、第１方向について第１光入射面２２Ａに近い端側の第１光入射面側領域２５と、第１方向について第１中央側領域２４と第１光入射面側領域２５との間に位置する第１光入射面側中間領域２６と、第１方向について第２光入射面２２Ｂに近い端側の第２光入射面側領域２７と、第１方向について第１中央側領域２４と第２光入射面側領域２７との間に位置する第２光入射面側中間領域２８と、に区分したとき、光反射パターンＬＲＰは、第１中央側領域２４における第２方向についての端側の領域と同中央側の領域との光反射部２３の分布密度の差が、第１光入射面側領域２５における第２方向についての端側の領域と同中央側の領域との光反射部２３の分布密度の差、第１光入射面側中間領域２６における第２方向についての端側の領域と同中央側の領域との光反射部２３の分布密度の差、第２光入射面側領域２７における第２方向についての端側の領域と同中央側の領域との光反射部２３の分布密度の差、及び第２光入射面側中間領域２８における第２方向についての端側の領域と同中央側の領域との光反射部２３の分布密度の差、よりもそれぞれ大きくなるよう形成されている。このようにすれば、第１光入射面側領域２５、第１光入射面側中間領域２６、第２光入射面側領域２７、及び第２光入射面側中間領域２８では、第１中央側領域２４に比べると、第２方向についての中央側の領域から同端側の領域へと光が導入され難くなっている。第１光入射面側領域２５、第１光入射面側中間領域２６、第２光入射面側領域２７、及び第２光入射面側中間領域２８におけるそれぞれの第２方向についての端側の領域では、内部に存在する光量が、第１中央側領域２４における第２方向についての端側の領域よりも多くなっていることから、上記のように第２方向についての中央側の領域から同端側の領域へと光が導入され難くすることで、第２方向についての端側の領域において光反射パターンＬＲＰをなす光反射部２３により反射された光が導光板１９の光出射面１９ａではない端面から出射されるのが抑制され、それにより光の利用効率が高いものとなる。これに対して、第１中央側領域２４では、第１光入射面側領域２５、第１光入射面側中間領域２６、第２光入射面側領域２７、及び第２光入射面側中間領域２８に比べると、第２方向についての中央側の領域から同端側の領域へと光が導入され易くなるので、光量が不足しがちな第２方向についての端側の領域に光が十分に供給され、それにより輝度分布の均一性が高いものとなる。
【００８１】
また、光反射パターンＬＲＰは、第１光入射面側中間領域２６における第２方向についての端側の領域と同中央側の領域との光反射部２３の分布密度の差が、第１光入射面側領域２５における第２方向についての端側の領域と同中央側の領域との光反射部２３の分布密度の差よりも大きくなるとともに、第２光入射面側中間領域２８における第２方向についての端側の領域と同中央側の領域との光反射部２３の分布密度の差が、第２光入射面側領域２７における第２方向についての端側の領域と同中央側の領域との光反射部２３の分布密度の差よりも大きくなるよう形成されている。このようにすれば、第１光入射面側領域２５及び第２光入射面側領域２７では、第１光入射面側中間領域２６及び第２光入射面側中間領域２８に比べると、第２方向についての中央側の領域から同端側の領域へと光が導入され難くなっている。第１光入射面側領域２５及び第２光入射面側領域２７におけるそれぞれの第２方向についての端側の領域では、内部に存在する光量が、第１光入射面側中間領域２６及び第２光入射面側中間領域２８における第２方向についての端側の領域よりも多くなっていることから、上記のように第２方向についての中央側の領域から同端側の領域へと光が導入され難くすることで、第２方向についての端側の領域において光反射パターンＬＲＰをなす光反射部２３により反射された光が導光板１９の光出射面１９ａではない端面から出射されるのが抑制され、それにより光の利用効率が高いものとなる。これに対して、第１光入射面側中間領域２６及び第２光入射面側中間領域２８では、第１光入射面側領域２５及び第２光入射面側領域２７に比べると、第２方向についての中央側の領域から同端側の領域へと光が導入され易くなるので、光量が不足しがちな第２方向についての端側の領域に光が十分に供給され、それにより輝度分布の均一性が高いものとなる。
【００８２】
また、反対板面１９ｆを、少なくとも第２方向について中央側の第２中央側領域２９と、第２方向について一方の端側の一端側領域３０と、第２中央側領域２９と一端側領域３０との間に位置する一端側中間領域３１と、第２方向について他方の端側の他端側領域３２と、第２中央側領域２９と他端側領域３２との間に位置する他端側中間領域３３と、に区分したとき、光反射パターンＬＲＰは、第１中央側領域２４における一端側領域３０と一端側中間領域３１との光反射部２３の分布密度の差と、一端側中間領域３１と第２中央側領域２９との光反射部２３の分布密度の差との差が、第１光入射面側中間領域２６における一端側領域３０と一端側中間領域３１との光反射部２３の分布密度の差と、一端側中間領域３１と第２中央側領域２９との光反射部２３の分布密度の差との差、第１光入射面側領域２５における一端側領域３０と一端側中間領域３１との光反射部２３の分布密度の差と、一端側中間領域３１と第２中央側領域２９との光反射部２３の分布密度の差との差、第２光入射面側中間領域２８における一端側領域３０と一端側中間領域３１との光反射部２３の分布密度の差と、一端側中間領域３１と第２中央側領域２９との光反射部２３の分布密度の差との差、及び第２光入射面側領域２７における一端側領域３０と一端側中間領域３１との光反射部２３の分布密度の差と、一端側中間領域３１と第２中央側領域２９との光反射部２３の分布密度の差との差よりもそれぞれ大きくなるとともに、第１中央側領域２４における他端側領域３２と他端側中間領域３３との光反射部２３の分布密度の差と、他端側中間領域３３と第２中央側領域２９との光反射部２３の分布密度の差との差が、第１光入射面側中間領域２６における他端側領域３２と他端側中間領域３３との光反射部２３の分布密度の差と、他端側中間領域３３と第２中央側領域２９との光反射部２３の分布密度の差との差、第１光入射面側領域２５における他端側領域３２と他端側中間領域３３との光反射部２３の分布密度の差と、他端側中間領域３３と第２中央側領域２９との光反射部２３の分布密度の差との差、第２光入射面側中間領域２８における他端側領域３２と他端側中間領域３３との光反射部２３の分布密度の差と、他端側中間領域３３と第２中央側領域２９との光反射部２３の分布密度の差との差、及び第２光入射面側領域２７における他端側領域３２と他端側中間領域３３との光反射部２３の分布密度の差と、他端側中間領域３３と第２中央側領域２９との光反射部２３の分布密度の差との差よりもそれぞれ大きくなるよう形成されている。このようにすれば、第１光入射面側領域２５及び第１光入射面側中間領域２６では、それぞれ一端側領域３０（他端側領域３２）と一端側中間領域３１（他端側中間領域３３）との間における光反射部２３の分布密度の差と、一端側中間領域３１（他端側中間領域３３）と第２中央側領域２９との間の光反射部２３の分布密度の差との差が、第１中央側領域２４に比べて相対的に小さくなっているから、相対的に第２中央側領域２９から一端側中間領域３１（他端側中間領域３３）を介して一端側領域３０（他端側領域３２）へと光が導入され難くなる。これにより、第１光入射面側領域２５及び第１光入射面側中間領域２６における一端側領域３０（他端側領域３２）においては、光反射パターンＬＲＰをなす光反射部２３により反射された光が導光板１９の光出射面１９ａではない端面から出射されるのが抑制され、もって光の利用効率が高いものとされる。これは、第２光入射面側領域２７及び第２光入射面側中間領域２８においても同様とされる。これに対し、第１中央側領域２４では、一端側領域３０（他端側領域３２）と一端側中間領域３１（他端側中間領域３３）との間における光反射部２３の分布密度の差と、一端側中間領域３１（他端側中間領域３３）と第２中央側領域２９との間の光反射部２３の分布密度の差との差が、第１光入射面側領域２５、第１光入射面側中間領域２６、第２光入射面側領域２７及び第２光入射面側中間領域２８に比べて相対的に大きくなっているから、相対的に第２中央側領域２９から一端側中間領域３１（他端側中間領域３３）を介して一端側領域３０（他端側領域３２）へと光が導入され易くなる。これにより、第１中央側領域２４における一端側領域３０（他端側領域３２）においては、光反射パターンＬＲＰをなす光反射部２３により反射された光が効率的に光出射面１９ａから出射されるので、第１光入射面側領域２５、第１光入射面側中間領域２６、第２光入射面側領域２７及び第２光入射面側中間領域２８との間に生じ得る輝度差が緩和され、もって輝度分布の均一性が高いものとなる。以上により、第１中央側領域２４における一端側領域３０、第２中央側領域２９、及び他端側領域３２と、第１光入射面側領域２５における一端側領域３０、第２中央側領域２９、及び他端側領域３２と、第２光入射面側領域２７における一端側領域３０、第２中央側領域２９、及び他端側領域３２と、の合計９領域において輝度分布の均一化が図られるので、当該導光板１９を液晶表示装置１０用のバックライト装置１２に用いた場合に、極めて高い表示品位を得ることが可能とされる。
【００８３】
また、光反射パターンＬＲＰは、光反射部２３が第１方向について対称をなすよう形成されている。このようにすれば、一方のＬＥＤ１７と第１光入射面２２Ａとの間の距離と、他方のＬＥＤ１７と第２光入射面２２Ｂとの間の距離とが等しい場合に有用となる。
【００８４】
また、光反射パターンＬＲＰは、光反射部２３として反射膜からなるドット２３ａを多数反対板面１９ｆに印刷してなり、ドット２３ａの面積と、ドット２３ａの配列ピッチとの少なくともいずれか一方を変化させることで、光反射部２３の分布密度を制御している。このようにすれば、反射膜からなるドット２３ａの態様により光反射部２３の分布密度を容易に制御することが可能となる。
【００８５】
また、本実施形態に係るバックライト装置（照明装置）１２は、上記した導光板１９と、光入射面２２に光を供給するＬＥＤ１７と、を少なくとも備える。このようなバックライト装置１２によれば、ＬＥＤ１７からの光が入射される光入射面２２を有する導光板１９が、輝度分布の均一性が向上されるとともに光の利用効率が向上されたものであるから、当該バックライト装置１２の光学性能が良好なものとなるとともに高輝度化（低消費電力化）が図られる。
【００８６】
また、本実施形態に係る液晶表示装置（表示装置）１０は、上記したバックライト装置１２と、バックライト装置１２からの光を利用して画像を表示する液晶パネル（表示パネル）１１を備える。このような液晶表示装置１０によれば、バックライト装置１２に備えられる導光板１９が輝度分布の均一性が向上されるとともに光の利用効率が向上されたものであるから、液晶パネル１１に表示される画像に係る表示品位が良好なものとなるとともに大画面化に好適とされる。
【００８７】
また、本実施形態に係るテレビ受信装置ＴＶは、上記した液晶表示装置１０を備える。このようなテレビ受信装置ＴＶによれば、液晶表示装置１０に備えられる導光板１９が輝度分布の均一性が向上されるとともに光の利用効率が向上されたものであるから、液晶パネル１１に表示されるテレビ画像に係る表示品位が良好なものとなるとともに大画面化に好適とされる。
【００８８】
＜実施形態２＞
本発明の実施形態２を図１１から図１５によって説明する。この実施形態２では、片側入光タイプのバックライト装置１１２を示す。なお、上記した実施形態１と同様の構造、作用及び効果について重複する説明は省略する。
【００８９】
本実施形態に係るバックライト装置１１２は、図１１に示すように、導光板１１９の外周端面のうちの片方の長辺側の端面である第１端面１１９ｂのみが、ＬＥＤ１１７からの光が入射される光入射面１２２とされている。従って、導光板１１９の外周端面のうちの残りの３つの端面である第２端面１１９ｃ〜第４端面１１９ｅが全てＬＥＤ１１７からの光が直接入射されることがないＬＥＤ非対向端面とされている。このうち、第２端面１１９ｃは、光入射面１２２とは反対側に配された反対端面４０を構成している。
【００９０】
次に、導光板１１９の反対板面１１９ｆにおける光反射パターンＬＲＰをなす光反射部１２３の具体的な分布の概略について説明する。光反射パターンＬＲＰをなす光反射部１２３は、図１１に示すように、導光板１１９の反対板面１１９ｆにおいて、第１方向について反対端面４０に近い端側の領域ほど分布密度が高くなり、第１方向について光入射面１２２に近い端側の領域１３５ほど分布密度が低くなるよう形成されている。このような分布とするため、光反射部１２３をなすドット１２３ａは、反対板面１１９ｆにおいて第１方向について光入射面１２２に近い端位置から中央位置を経て反対端面４０に近い端位置に至るまで、その径寸法が連続的に漸次大きくなり、逆に第１方向について反対端面４０に近い端位置から中央位置を経て光入射面１２２に近い端位置に至るまでその径寸法が連続的に漸次小さくなるよう形成されている。各ＬＥＤ１１７から光入射面１２２に入射した光は、導光板１１９内を第１方向に沿って光入射面１２２に近い端側の領域から中央側の領域を経て反対端面４０に近い端側の領域へと伝播するが、上記のような光反射部１２３の分布によれば、第１方向について光入射面１２２に近い端側の領域ほど光反射部１２３による散乱反射が抑制されるのに対し、第１方向について反対端面４０に近い端側の領域ほど光反射部１２３による散乱反射が促進されるので、光出射面１１９ａからの出射光量の分布、つまり輝度分布が第１方向について均一化が図られるようになっている。なお、光反射パターンＬＲＰにおける第２方向についての分布の概略に関しては、上記した実施形態１に記載した通りである。
【００９１】
より詳しく光反射パターンＬＲＰの分布を説明するのに先立って、導光板１１９の反対板面１１９ｆを平面に視て下記のように区分する。すなわち、反対板面１１９ｆは、図１２に示すように、第１方向に関して、中央側の第１中央側領域１２４と、光入射面１２２に近い端側（図１２に示す下端側）の光入射面側領域４１と、第１中央側領域１２４と光入射面側領域４１との間に位置する光入射面側中間領域４２と、反対端面４０に近い端側（図１２に示す上端側）の反対端面側領域４３と、第１中央側領域１２４と反対端面側領域４３との間に位置する反対端面側中間領域４４と、に５等分される。これらの各領域４１〜４４，１２４における面積比率はいずれも等しいものとされる。さらには、反対板面１１９ｆにおける第１中央側領域１２４、光入射面側領域４１、光入射面側中間領域４２、反対端面側領域４３及び反対端面側中間領域４４は、第２方向に関して、それぞれ中央側の第２中央側領域１２９と、一方の端側（図１２に示す左端側）の一端側領域１３０と、第２中央側領域１２９と一端側領域１３０との間に位置する一端側中間領域１３１と、他方の端側（図１２に示す右端側）の他端側領域１３２と、第２中央側領域１２９と他端側領域１３２との間に位置する他端側中間領域１３３と、に５等分される。これらの各領域１２９〜１３３における面積比率はいずれも等しいものとされる。また、図１２は、上記した反対板面１１９ｆの区分を図示するためのものであり、光反射パターンＬＲＰに関しては図示を省略している。
【００９２】
導光板１１９の反対板面１１９ｆにおける光反射パターンＬＲＰの分布は、図１３及び図１４に示される通りである。図１３は、導光板１１９の反対板面１１９ｆにおける第２中央側領域１２９、一端側領域１３０、一端側中間領域１３１、他端側領域１３２及び他端側中間領域１３３において第１方向に沿ってＹ１端からＹ２端に至るまで、反射部材１２３の分布密度をプロットしたグラフとなっている。図１４は、導光板１１９の反対板面１１９ｆにおける第１中央側領域１２４、光入射面側領域４１、光入射面側中間領域４２、反対端面側領域４３、及び反対端面側中間領域４４において第２方向に沿ってＸ１端からＸ２端に至るまで、反射部材１２３の分布密度をプロットしたグラフとなっている。なお、図１３及び図１４の横軸に記載されたＹ１端、Ｙ中央、Ｙ２端、Ｘ１端、Ｘ中央、及びＸ２端は、図１１及び図１２中に記載された符号により示される位置と一致している。
【００９３】
先に、第１方向についての光反射パターンＬＲＰの分布について説明する。第２方向について区分された各領域１２９〜１３３では、図１３に示すように、第１方向について反対端面側領域４３において最も光反射部１２３の分布密度が高く、そこから反対端面側中間領域４４、第１中央側領域１２４、光入射面側中間領域４２、光入射面側領域４１の順で光反射部１２３の分布密度が低くなっている。従って、光反射パターンＬＲＰは、光反射部１２３が第１方向について非対称をなす分布となるよう形成されている。第１方向についての光反射部１２３の分布密度の変化率（図１３に示されるグラフの傾き、隣り合う領域４１〜４４，１２４間の光反射部１２３の分布密度の差）に関しては、各端側領域１３０，１３２における同変化率が、第２中央側領域１２９及び各端側中間領域１３１，１３３における同変化率よりも概して大きくなっている。詳しくは、第２中央側領域１２９における光入射面側領域４１から光入射面側中間領域４２までの同変化率と、各端側領域１３０，１３２における反対端面側中間領域４４から反対端面側領域４３までの同変化率とが最も小さく、互いにほぼ等しくなっている。その次に、各端側中間領域１３１，１３３における光入射面側中間領域４２から第１中央側領域１２４までの同変化率と、第２中央側領域１２９における光入射面側中間領域４２から第１中央側領域１２４までの同変化率とが小さく、互いにほぼ等しくなっている。その次に小さいのが、各端側中間領域１３１，１３３における第１中央側領域１２４から反対端面側中間領域４４までの同変化率と、第２中央側領域１２９における第１中央側領域１２４から反対端面側中間領域４４までの同変化率と、であり、互いにほぼ等しくなっている。その次に小さいのが、各端側中間領域１３１，１３３における反対端面側中間領域４４から反対端面側領域４３までの同変化率と、第２中央側領域１２９における反対端面側中間領域４４から反対端面側領域４３までの同変化率と、各端側領域１３０，１３２における光入射面側中間領域４２から第１中央側領域１２４までの同変化率と、であり、互いにほぼ等しくなっている。そして、最も大きいのが、各端側領域１３０，１３２における反対端面側中間領域４４から反対端面側領域４３までの同変化率とされる。なお、第２中央側領域１２９における光入射面側領域４１と、各端側中間領域１３１，１３３におけるそれぞれの光入射面側領域４１との光反射部１２３の分布密度は、互いに等しいものとされる。
【００９４】
次に、第２方向についての光反射パターンＬＲＰの分布について説明する。第１方向について区分された各領域４１〜４４，１２４では、図１４に示すように、第２方向について第２中央側領域１２９において最も光反射部１２３の分布密度が低く、そこから各端側中間領域１３１，１３３、各端側領域１３０，１３２の順で光反射部１２３の分布密度が高くなっている。各領域４１〜４４，１２４において、一端側領域１３０及び他端側中間領域１３３における光反射部１２３の分布密度が等しくされ、一端側中間領域１３１及び他端側中間領域１３３における光反射部１２３の分布密度が等しくされている。つまり、光反射パターンＬＲＰは、光反射部１２３が第２方向について対称をなす分布となるよう形成されている。第２方向についての光反射部１２３の分布密度の変化率（図１４に示されるグラフの傾き、隣り合う領域１２９〜１３３間の光反射部１２３の分布密度の差）に関しては、第１中央側領域１２４における同変化率が、光入射面側領域４１及び光入射面側中間領域４２における同変化率よりも概して大きくなっているとともに、反対端面側領域４３における同変化率が、反対端面側中間領域４４における同変化率よりも概して大きくなっている。詳しくは、光入射面側領域４１における第２中央側領域１２９から各端側中間領域１３１，１３３までの同変化率が最も小さく、その次に光入射面側領域４１における各端側中間領域１３１，１３３から各端側領域１３０，１３２までの同変化率が小さくなっている。その次に小さいのが、光入射面側中間領域４２における第２中央側領域１２９から各端側中間領域１３１，１３３までの同変化率と、第１中央側領域１２４における第２中央側領域１２９から各端側中間領域１３１，１３３までの同変化率と、反対端面側中間領域４４における第２中央側領域１２９から各端側中間領域１３１，１３３までの同変化率と、反対端面側領域４３における第２中央側領域１２９から各端側中間領域１３１，１３３までの同変化率と、であり、これらは互いにほぼ等しくなっている。その次に小さいのが、光入射面側中間領域４２における各端側中間領域１３１，１３３から各端側領域１３０，１３２までの同変化率と、反対端面側中間領域４４における各端側中間領域１３１，１３３から各端側領域１３０，１３２までの同変化率と、であり、これらは互いにほぼ等しくなっている。そして、最も大きいのが、第１中央側領域１２４における各端側中間領域１３１，１３３から各端側領域１３０，１３２までの同変化率と、反対端面側領域４３における各端側中間領域１３１，１３３から各端側領域１３０，１３２までの同変化率と、であり、これらは互いにほぼ等しくなっている。なお、光入射面側領域４１における第２中央側領域１２９と、各端側中間領域１３１，１３３との光反射部１２３の分布密度は、互いに等しいものとされる。
【００９５】
図１３及び図１４に示される光反射パターンＬＲＰの分布は、次に示される式（１２）〜（１９）を満たすものとされる。ここでは、第１中央側領域１２４における光反射部１２３の分布密度を、第２方向について各端側領域１３０，１３２、各端側中間領域１３１，１３３、第２中央側領域１２９の順でそれぞれＲＤａ′，ＲＤｂ′，ＲＤｃ′とし、光入射面側領域４１における光反射部１２３の分布密度を、第２方向について各端側領域１３０，１３２、各端側中間領域１３１，１３３、第２中央側領域１２９の順でそれぞれＲＤｄ′，ＲＤｅ′，ＲＤｆ′とし、光入射面側中間領域４２における光反射部１２３の分布密度を、第２方向について各端側領域１３０，１３２、各端側中間領域１３１，１３３、第２中央側領域１２９の順でそれぞれＲＤｇ′，ＲＤｈ′，ＲＤｉ′とし、反対端面側領域４３における光反射部１２３の分布密度を、第２方向について各端側領域１３０，１３２、各端側中間領域１３１，１３３、第２中央側領域１２９の順でそれぞれＲＤｊ，ＲＤｋ，ＲＤｌとし、反対端面側中間領域４４における光反射部１２３の分布密度を、第２方向について各端側領域１３０，１３２、各端側中間領域１３１，１３３、第２中央側領域１２９の順でそれぞれＲＤｍ，ＲＤｎ，ＲＤｏとしている。
【００９６】
（ＲＤｂ′−ＲＤｃ′）＜（ＲＤａ′−ＲＤｂ′）          （１２）
【００９７】
（ＲＤｅ′−ＲＤｆ′）＜（ＲＤｄ′−ＲＤｅ′）          （１３）
【００９８】
（ＲＤｈ′−ＲＤｉ′）＜（ＲＤｇ′−ＲＤｈ′）          （１４）
【００９９】
（ＲＤｋ−ＲＤｌ）＜（ＲＤｊ−ＲＤｋ）          （１５）
【０１００】
（ＲＤｎ−ＲＤｏ）＜（ＲＤｍ−ＲＤｎ）          （１６）
【０１０１】
（（ＲＤｄ′−ＲＤｅ′）−（ＲＤｅ′−ＲＤｆ′））＜（（ＲＤａ′−ＲＤｂ′）−（ＲＤｂ′−ＲＤｃ′））          （１７）
【０１０２】
（（ＲＤｇ′−ＲＤｈ′）−（ＲＤｈ′−ＲＤｉ′））＜（（ＲＤａ′−ＲＤｂ′）−（ＲＤｂ′−ＲＤｃ′））          （１８）
【０１０３】
（（ＲＤｊ−ＲＤｋ）−（ＲＤｋ−ＲＤｌ））＜（（ＲＤｍ−ＲＤｎ）−（ＲＤｎ−ＲＤｏ））          （１９）
【０１０４】
上記した式（１２）〜（１６）によれば、第１中央側領域１２４における一端側領域１３０の光反射部１２３の分布密度ＲＤａ′と一端側中間領域１３１の同分布密度ＲＤｂ′との差が、各端側中間領域１３１，１３３の同分布密度ＲＤｂ′と第２中央側領域１２９の同分布密度ＲＤｃ′との差よりも大きく、光入射面側領域４１における各端側領域１３０，１３２の同分布密度ＲＤｄ′と各端側中間領域１３１，１３３の同分布密度ＲＤｅ′との差が、各端側中間領域１３１，１３３の同分布密度ＲＤｅ′と第２中央側領域１２９の同分布密度ＲＤｆ′との差よりも大きく、光入射面側中間領域４２における各端側領域１３０，１３２の同分布密度ＲＤｇ′と各区端側中間領域１３１，１３３の同分布密度ＲＤｈ′との差が、各端側中間領域１３１，１３３の同分布密度ＲＤｈ′と第２中央側領域１２９の同分布密度ＲＤｉ′との差との差よりも大きく、反対端面側中間領域４４における各端側領域１３０，１３２の同分布密度ＲＤｊと各区端側中間領域１３１，１３３の同分布密度ＲＤｋとの差が、各端側中間領域１３１，１３３の同分布密度ＲＤｋと第２中央側領域１２９の同分布密度ＲＤｌとの差との差よりも大きく、反対端面側領域４３における各端側領域１３０，１３２の同分布密度ＲＤｍと各端側中間領域１３１，１３３の同分布密度ＲＤｎとの差が、各端側中間領域１３１，１３３の同分布密度ＲＤｎと第２中央側領域１２９の同分布密度ＲＤｏとの差よりも大きいことが分かる。そして、上記した式（１７），（１８）によれば、第１中央側領域１２４における各端側領域１３０，１３２の光反射部１２３の分布密度ＲＤａ′と各端側中間領域１３１，１３３の同分布密度ＲＤｂ′との差と、各端側中間領域１３１，１３３の同分布密度ＲＤｂ′と第２中央側領域１２９の同分布密度ＲＤｃ′との差との差（式（１７），（１８）の右辺）が、光入射面側中間領域５３における各端側領域１３０，１３２の同分布密度ＲＤｇ′と各端側中間領域１３１，１３３の同分布密度ＲＤｈ′との差と、各端側中間領域１３１，１３３の同分布密度ＲＤｈ′と第２中央側領域１２９の同分布密度ＲＤｉ′との差との差（式（１７）の左辺）、光入射面側領域４１における各端側領域１３０，１３２の同分布密度ＲＤｄ′と各端側中間領域１３１，１３３の同分布密度ＲＤｅ′との差と、各端側中間領域１３１，１３３の同分布密度ＲＤｅ′と第２中央側領域１２９の同分布密度ＲＤｆ′との差との差（式（１８）の左辺）、よりも大きいことが分かる。さらには、上記した式（１９）によれば、反対端面側領域４３における各端側領域１３０，１３２の光反射部１２３の分布密度ＲＤｍと各端側中間領域１３１，１３３の同分布密度ＲＤｎとの差と、各端側中間領域１３１，１３３の同分布密度ＲＤｎと第２中央側領域１２９の同分布密度ＲＤｏとの差との差（式（１９）の右辺）が、反対端面側中間領域４４における各端側領域１３０，１３２の同分布密度ＲＤｊと各端側中間領域１３１，１３３の同分布密度ＲＤｋとの差と、各端側中間領域１３１，１３３の同分布密度ＲＤｋと第２中央側領域１２９の同分布密度ＲＤｌとの差との差（式（１９）の左辺）よりも大きいことが分かる。なお、光入射面側中間領域４２における各端側領域１３０，１３２の同分布密度ＲＤｇ′と各端側中間領域１３１，１３３の同分布密度ＲＤｈ′との差と、各端側中間領域１３１，１３３の同分布密度ＲＤｈ′と第２中央側領域１２９の同分布密度ＲＤｉ′との差との差は、光入射面側領域４１における各端側領域１３０，１３２の同分布密度ＲＤｄ′と各端側中間領域１３１，１３３の同分布密度ＲＤｅ′との差と、各端側中間領域１３１，１３３の同分布密度ＲＤｅ′と第２中央側領域１２９の同分布密度ＲＤｆ′との差との差よりも大きくされている。
【０１０５】
さらには、図１３及び図１４に示される光反射パターンＬＲＰの分布は、次に示される式（２０），（２１）を満たすものとされる。式（２０）によれば、光入射面側中間領域４２における各端側領域１３０，１３２の同分布密度ＲＤｇ′と各端側中間領域１３１，１３３の同分布密度ＲＤｈ′との差と、各端側中間領域１３１，１３３の同分布密度ＲＤｈ′と第２中央側領域１２９の同分布密度ＲＤｉ′との差との差（式（２０）の左辺）が、反対端面側中間領域４４における各端側領域１３０，１３２の同分布密度ＲＤｊと各端側中間領域１３１，１３３の同分布密度ＲＤｋとの差と、各端側中間領域１３１，１３３の同分布密度ＲＤｋと第２中央側領域１２９の同分布密度ＲＤｌとの差との差（式（２０）の右辺）と等しくなっている。そして、式（２１）によれば、反対端面側領域４３における各端側領域１３０，１３２の光反射部１２３の分布密度ＲＤｍと各端側中間領域１３１，１３３の同分布密度ＲＤｎとの差と、各端側中間領域１３１，１３３の同分布密度ＲＤｎと第２中央側領域１２９の同分布密度ＲＤｏとの差との差（式（２１）の右辺）が、第１中央側領域１２４における各端側領域１３０，１３２の光反射部１２３の分布密度ＲＤａ′と各端側中間領域１３１，１３３の同分布密度ＲＤｂ′との差と、各端側中間領域１３１，１３３の同分布密度ＲＤｂ′と第２中央側領域１２９の同分布密度ＲＤｃ′との差との差（式（２１）の左辺）と等しくなっている。
【０１０６】
（（ＲＤｇ′−ＲＤｈ′）−（ＲＤｈ′−ＲＤｉ′））＝（（ＲＤｊ−ＲＤｋ）−（ＲＤｋ−ＲＤｌ））          （２０）
【０１０７】
（（ＲＤａ′−ＲＤｂ′）−（ＲＤｂ′−ＲＤｃ′））＝（（ＲＤｍ−ＲＤｎ）−（ＲＤｎ−ＲＤｏ））          （２１）
【０１０８】
このような構成により、次の作用が得られる。すなわち、光入射面側領域４１及び光入射面側中間領域４２では、それぞれ各端側領域１３０，１３２と各端側中間領域１３１，１３３との間における光反射部１２３の分布密度の差と、各端側中間領域１３１，１３３と第２中央側領域１２９との間の光反射部１２３の分布密度の差との差（式（１７），（１８）の左辺）が、第１中央側領域１２４の同差（式（１７），（１８）の右辺）に比べて相対的に小さくなっているから、相対的に第２中央側領域１２９から各端側中間領域１３１，１３３を介して各端側領域１３０，１３２へと光が導入され難くなる。同様に、反対端面側中間領域４４では、各端側領域１３０，１３２と各端側中間領域１３１，１３３との間における光反射部１２３の分布密度の差と、各端側中間領域１３１，１３３と第２中央側領域１２９との間の光反射部１２３の分布密度の差との差（式（１９）の左辺）が、反対端面側領域４３の同差（式（１９）の右辺）に比べて相対的に小さくなっているから、相対的に第２中央側領域１２９から各端側中間領域１３１，１３３を介して各端側領域１３０，１３２へと光が導入され難くなる。これにより、光入射面側領域４１、光入射面側中間領域４２及び反対端面側中間領域４４における各端側領域１３０，１３２においては、光反射パターンＬＲＰをなす光反射部１２３により反射された光が導光板１１９の光出射面１１９ａではない第３端面１１９ｄや第４端面１１９ｅから出射されるのが抑制され、もって光の利用効率が高いものとされる。これに対し、第１中央側領域１２４及び反対端面側領域４３では、各端側領域１３０，１３２と各端側中間領域１３１，１３３との間における光反射部１２３の分布密度の差と、各端側中間領域１３１，１３３と第２中央側領域１２９との間の光反射部１２３の分布密度の差との差（式（１７）〜（１９）の右辺）が、光入射面側領域４１、光入射面側中間領域４２及び反対端面側中間領域４４に比べて相対的に大きくなっているから、相対的に第２中央側領域１２９から各端側中間領域１３１，１３３を介して各端側領域１３０，１３２へと光が導入され易くなる。これにより、第１中央側領域１２４及び反対端面側領域４３における各端側領域１３０，１３２においては、光反射パターンＬＲＰをなす光反射部１２３により反射された光が効率的に光出射面１１９ａから出射されるので、光入射面側領域４１、光入射面側中間領域４２及び反対端面側中間領域４４との間に生じ得る輝度差が緩和され、もって輝度分布の均一性が高いものとなる。
【０１０９】
そして、反対端面側中間領域４４では、第１中央側領域１２４及び反対端面側領域４３に比べると、第２中央側領域１２９から各端側中間領域１３１，１３３を介して各端側領域１３０，１３２へと光が導入され難くなっているのに対し、反対端面側領域４３では、第２中央側領域１２９から各端側中間領域１３１，１３３を介して各端側領域１３０，１３２への光の導入のされ易さが第１中央側領域１２４と同等とされている。このうち、反対端面側領域４３における各端側領域１３０，１３２は、第１方向に沿う第３端面１１９ｄや第４端面１１９ｅに加えて反対端面４０を有しているため、光反射部１２３により反射された光が外部に漏れ出し易くなっており、仮に各端側領域１３０，１３２と各端側中間領域１３１，１３３との間における光反射部１２３の分布密度の差と、各端側中間領域１３１，１３３と第２中央側領域１２９との間の光反射部１２３の分布密度の差との差を、第１中央側領域１２４及び反対端面側中間領域４４よりも大きくすると、光の利用効率が著しく悪化するおそれがある。その点、上記のように反対端面側領域４３と第１中央側領域１２４とで、各端側領域１３０，１３２と各端側中間領域１３１，１３３との間における光反射部１２３の分布密度の差と、各端側中間領域１３１，１３３と第２中央側領域１２９との間の光反射部１２３の分布密度の差との差を、同等にすることで、反対端面側領域４３における各端側領域１３０，１３２からの光の漏れ出し、つまり光の利用効率の低下を抑制しつつも、輝度分布の均一性を十分に確保することができる。しかも、反対端面側中間領域４４において第２中央側領域１２９から各端側中間領域１３１，１３３を介して各端側領域１３０，１３２へと光が導入され難くすることで、反対端面側領域４３において光量が不足しがちな各端側領域１３０，１３２へと光を十分に供給することができ、それにより輝度分布の均一性が高いものとなる。
【０１１０】
以上により、第１中央側領域１２４における一端側領域１３０、第２中央側領域１２９、及び他端側領域１３２と、光入射面側領域４１における一端側領域１３０、第２中央側領域１２９、及び他端側領域１３２と、反対端面側領域４３における一端側領域１３０、第２中央側領域１２９、及び他端側領域１３２と、の合計９領域において輝度分布の均一化が図られることで、この導光板１１９からの出射光を利用して液晶表示装置の液晶パネルに表示される画像に係る表示品位が極めて高いものとなる。このように、上記した合計９領域において輝度分布の均一化が図られることが、液晶表示装置の液晶パネルに表示される画像に係る表示品位を高めることとなるのは、表示画像の表示品位を評価するに際して経験上知られたことであり、例えばＴＨＸ（登録商標）規格などの表示画像の表示品位を客観的に評価するための評価規格においても上記した合計９領域における輝度分布の均一性に関する評価を評価要素の１つとして取り入れていることからも明らかである。
【０１１１】
上記した式（１２）〜（２１）から以下の光反射パターンＬＲＰは、次のような分布を有しているとも言える。すなわち、導光板１１９の反対板面１１９ｆを、図１５に示すように、第１方向について中央側の領域１３４と、第１方向について光入射面１２２に近い端側の領域（図１５に示す下側の領域）１３５と、第１方向について反対端面４０に近い端側の領域（図１５に示す上側の領域）１３６との３つに区分するとともに、第２方向について中央側の領域１３７と、第２方向について一対の端側の領域（図１５に示す左右両端側の領域）１３８，１３９との３つに区分したとき、光反射パターンＬＲＰは、第１方向について中央側の領域１３４及び反対端面４０に近い端側の領域１３６が、共に光入射面１２２に近い端側の領域１３５よりも光反射部１２３の分布密度が高くなり、且つ互いに等しくなるよう形成されている。さらには、光反射パターンＬＲＰは、第１方向について中央側の領域１３４及び反対端面４０に近い端側の領域１３６におけるそれぞれの第２方向についての端側の領域（各端側領域１３０，１３２または各端側中間領域１３１，１３３）１３８，１３９と同中央側の領域（各端側中間領域１３１，１３３または第２中央側領域１２９）１３７との光反射部１２３の分布密度の差が、共に第１方向について光入射面１２２に近い端側の領域１３５における第２方向についての端側の領域（各端側領域１３０，１３２または各端側中間領域１３１，１３３）１３８，１３９と同中央側の領域（各端側中間領域１３１，１３３または第２中央側領域１２９）１３７との光反射部１２３の分布密度の差よりも大きく、且つ互いに等しくなるよう形成されている。このような構成によれば、まず、光反射パターンＬＲＰは、第１方向について光入射面１２２に近い端側の領域１３５、中央側の領域１３４、反対端面４０に近い端側の領域１３６の順で光反射部１２３の分布密度が高くなっているので、第１方向について出射光量、つまり輝度分布の均一性が高められる。その上で、第１方向について光入射面１２２に近い端側の領域１３５では、第１方向について中央側の領域１３４、及び反対端面４０に近い端側の領域１３６に比べると、第２方向についての中央側の領域１３７から同端側の領域１３８，１３９へと光が導入され難くなっている。第１方向について光入射面１２２に近い端側の領域１３５における第２方向についての端側の領域１３８，１３９では、内部に存在する光量が、第１方向について中央側の領域１３４、及び反対端面４０に近い端側の領域１３６よりも多くなっていることから、上記のように第２方向についての中央側の領域１３７から同端側の領域１３８，１３９へと光が導入され難くすることで、第２方向についての端側の領域１３８，１３９において光反射パターンＬＲＰをなす光反射部１２３により反射された光が導光板１１９の光出射面１１９ａではない第３端面１１９ｄや第４端面１１９ｅから出射されるのが抑制され、それにより光の利用効率が高いものとなる。これに対して、第１方向について中央側の領域１３４、及び反対端面４０に近い端側の領域１３６では、第１方向について光入射面１２２に近い端側の領域１３５に比べると、第２方向についての中央側の領域１３７から同端側の領域１３８，１３９へと光が導入され易くなるので、光量が不足しがちな第２方向についての端側の領域１３８，１３９に光が十分に供給され、それにより輝度分布の均一性が高いものとなる。
【０１１２】
そして、第１方向について反対端面４０に近い端側の領域１３６では、第２方向についての中央側の領域１３７から同端側の領域１３８，１３９への光の導入のされ易さが第１方向について中央側の領域１３４と同等とされている。第１方向について反対端面４０に近い端側の領域１３６における第２方向についての端側の領域１３８，１３９は、第１方向に沿う第３端面１１９ｄまたは第４端面１１９ｅに加えて反対端面４０を有しているため、光反射部１２３により反射された光が外部に漏れ出し易くなっており、仮に第２方向についての端側の領域１３８，１３９と同中央側の領域１３７との光反射部１２３の分布密度の差を、第１方向について中央側の領域１３４よりも大きくすると、光の利用効率が著しく悪化するおそれがある。その点、上記のように第１方向について反対端面４０に近い端側の領域１３６と第１方向について中央側の領域１３４とで、第２方向についての端側の領域１３８，１３９と同中央側の領域１３７との光反射部１２３の分布密度の差を、同等にすることで、第１方向について反対端面４０に近い端側の領域１３６における第２方向についての端側の領域１３８，１３９からの光の漏れ出し、つまり光の利用効率の低下を抑制しつつも、輝度分布の均一性を十分に確保することができる。
【０１１３】
以上説明したように本実施形態によれば、外周端面のうち対辺をなす一対の端面のうち、一方の端面が光入射面１２２とされるのに対し、他方の端面がＬＥＤ１１７からの光が直接入射されることのない反対端面４０とされており、反対板面１１９ｆを、少なくとも第１方向について中央側の領域１３４と、第１方向について光入射面１２２に近い端側の領域１３５と、第１方向について反対端面４０に近い端側の領域１３６とに区分したとき、光反射パターンＬＲＰは、第１方向について光入射面１２２に近い端側の領域１３５、中央側の領域、反対端面４０に近い端側の領域１３６の順で光反射部１２３の分布密度が高くなり、さらには、第１方向について中央側の領域１３４における第２方向についての端側の領域と同中央側の領域との光反射部１２３の分布密度の差が、第１方向について光入射面１２２に近い端側の領域１３５における第２方向についての端側の領域と同中央側の領域との光反射部１２３の分布密度の差よりも大きく、且つ第１方向について反対端面４０に近い端側の領域１３６における第２方向についての端側の領域と同中央側の領域との光反射部１２３の分布密度の差と同等になるよう形成されている。
【０１１４】
このようにすれば、まず、光反射パターンＬＲＰは、第１方向について光入射面１２２に近い端側の領域１３５、中央側の領域、反対端面４０に近い端側の領域１３６の順で光反射部１２３の分布密度が高くなっているので、第１方向について出射光量、つまり輝度分布の均一性が高められる。その上で、第１方向について光入射面１２２に近い端側の領域１３５では、第１方向について中央側の領域１３４、及び反対端面４０に近い端側の領域１３６に比べると、第２方向についての中央側の領域から同端側の領域へと光が導入され難くなっている。第１方向について光入射面１２２に近い端側の領域１３５における第２方向についての端側の領域では、内部に存在する光量が、第１方向について中央側の領域１３４、及び反対端面４０に近い端側の領域１３６よりも多くなっていることから、上記のように第２方向についての中央側の領域から同端側の領域へと光が導入され難くすることで、第２方向についての端側の領域において光反射パターンＬＲＰをなす光反射部１２３により反射された光が導光板１１９の光出射面１１９ａではない端面から出射されるのが抑制され、それにより光の利用効率が高いものとなる。これに対して、第１方向について中央側の領域１３４、及び反対端面４０に近い端側の領域１３６では、第１方向について光入射面１２２に近い端側の領域１３５に比べると、第２方向についての中央側の領域から同端側の領域へと光が導入され易くなるので、光量が不足しがちな第２方向についての端側の領域に光が十分に供給され、それにより輝度分布の均一性が高いものとなる。
【０１１５】
そして、第１方向について反対端面４０に近い端側の領域１３６では、第２方向についての中央側の領域から同端側の領域への光の導入のされ易さが第１方向について中央側の領域１３４と同等とされている。第１方向について反対端面４０に近い端側の領域１３６における第２方向についての端側の領域は、第１方向に沿う端面に加えて反対端面４０を有しているため、光反射部１２３により反射された光が外部に漏れ出し易くなっており、仮に第２方向についての端側の領域と同中央側の領域との光反射部１２３の分布密度の差を、第１方向について中央側の領域１３４よりも大きくすると、光の利用効率が著しく悪化するおそれがある。その点、上記のように第１方向について反対端面４０に近い端側の領域１３６と第１方向について中央側の領域１３４とで、第２方向についての端側の領域と同中央側の領域との光反射部１２３の分布密度の差を、同等にすることで、第１方向について反対端面４０に近い端側の領域１３６における第２方向についての端側の領域からの光の漏れ出し、つまり光の利用効率の低下を抑制しつつも、輝度分布の均一性を十分に確保することができる。
【０１１６】
また、反対板面１１９ｆを、少なくとも第１方向について中央側の第１中央側領域１２４と、第１方向について光入射面１２２に近い端側の光入射面側領域４１と、第１中央側領域１２４と光入射面側領域４１との間に位置する光入射面側中間領域４２と、第１方向について反対端面４０に近い端側の反対端面側領域４３と、第１中央側領域１２４と反対端面側領域４３との間に位置する反対端面側中間領域４４と、に区分したとき、光反射パターンＬＲＰは、第１中央側領域１２４における第２方向についての端側の領域と同中央側の領域との光反射部１２３の分布密度の差が、光入射面側領域４１における第２方向についての端側の領域と同中央側の領域との光反射部１２３の分布密度の差、光入射面側中間領域４２における第２方向についての端側の領域と同中央側の領域との光反射部１２３の分布密度の差、よりもそれぞれ大きくなるとともに、反対端面側領域４３における第２方向についての端側の領域と同中央側の領域との光反射部１２３の分布密度の差が、反対端面側中間領域４４における第２方向についての端側の領域と同中央側の領域との光反射部１２３の分布密度の差よりも大きく且つ第１中央側領域１２４における第２方向についての端側の領域と同中央側の領域との光反射部１２３の分布密度の差と同等になるよう形成されている。このようにすれば、光入射面側領域４１及び光入射面側中間領域４２では、第１中央側領域１２４及び反対端面側領域４３に比べると、第２方向についての中央側の領域から同端側の領域へと光が導入され難くなっている。光入射面側領域４１及び光入射面側中間領域４２におけるそれぞれの第２方向についての端側の領域では、内部に存在する光量が、第１中央側領域１２４及び反対端面側領域４３よりも多くなっていることから、上記のように第２方向についての中央側の領域から同端側の領域へと光が導入され難くすることで、第２方向についての端側の領域において光反射パターンＬＲＰをなす光反射部１２３により反射された光が導光板１１９の光出射面１１９ａではない端面から出射されるのが抑制され、それにより光の利用効率が高いものとなる。これに対して、第１中央側領域１２４及び反対端面側領域４３では、光入射面側領域４１、光入射面側中間領域４２及び反対端面側中間領域４４に比べると、第２方向についての中央側の領域から同端側の領域へと光が導入され易くなるので、光量が不足しがちな第２方向についての端側の領域に光が十分に供給され、それにより輝度分布の均一性が高いものとなる。
【０１１７】
そして、反対端面側中間領域４４では、第１中央側領域１２４及び反対端面側領域４３に比べると、第２方向についての中央側の領域から同端側の領域へと光が導入され難くなっているのに対し、反対端面側領域４３では、第２方向についての中央側の領域から同端側の領域への光の導入のされ易さが第１中央側領域１２４と同等とされている。このうち、反対端面側領域４３における第２方向についての端側の領域は、第１方向に沿う端面に加えて反対端面４０を有しているため、光反射部１２３により反射された光が外部に漏れ出し易くなっており、仮に第２方向についての端側の領域と同中央側の領域との光反射部１２３の分布密度の差を、第１中央側領域１２４及び反対端面側中間領域４４よりも大きくすると、光の利用効率が著しく悪化するおそれがある。その点、上記のように反対端面側領域４３と第１中央側領域１２４とで、第２方向についての端側の領域と同中央側の領域との光反射部１２３の分布密度の差を、同等にすることで、反対端面側領域４３における第２方向についての端側の領域からの光の漏れ出し、つまり光の利用効率の低下を抑制しつつも、輝度分布の均一性を十分に確保することができる。しかも、反対端面側中間領域４４において第２方向についての中央側の領域から同端側の領域へと光が導入され難くすることで、反対端面側領域４３において光量が不足しがちな第２方向についての端側の領域へと光を十分に供給することができ、それにより輝度分布の均一性が高いものとなる。
【０１１８】
また、反対板面１１９ｆを、少なくとも第２方向について中央側の第２中央側領域１２９と、第２方向について一方の端側の一端側領域１３０と、第２中央側領域１２９と一端側領域１３０との間に位置する一端側中間領域１３１と、第２方向について他方の端側の他端側領域１３２と、第２中央側領域１２９と他端側領域１３２との間に位置する他端側中間領域１３３と、に区分したとき、第１中央側領域１２４における一端側領域１３０と一端側中間領域１３１との光反射部１２３の分布密度の差と、一端側中間領域１３１と第２中央側領域１２９との光反射部１２３の分布密度の差との差が、光入射面側中間領域４２における一端側領域１３０と一端側中間領域１３１との光反射部１２３の分布密度の差と、一端側中間領域１３１と第２中央側領域１２９との光反射部１２３の分布密度の差との差、光入射面側領域４１における一端側領域１３０と一端側中間領域１３１との光反射部１２３の分布密度の差と、一端側中間領域１３１と第２中央側領域１２９との光反射部１２３の分布密度の差との差よりもそれぞれ大きくなるとともに、第１中央側領域１２４における他端側領域１３２と他端側中間領域１３３との光反射部１２３の分布密度の差と、他端側中間領域１３３と第２中央側領域１２９との光反射部１２３の分布密度の差との差が、光入射面側中間領域４２における他端側領域１３２と他端側中間領域１３３との光反射部１２３の分布密度の差と、他端側中間領域１３３と第２中央側領域１２９との光反射部１２３の分布密度の差との差、光入射面側領域４１における他端側領域１３２と他端側中間領域１３３との光反射部１２３の分布密度の差と、他端側中間領域１３３と第２中央側領域１２９との光反射部１２３の分布密度の差との差よりもそれぞれ大きくなり、反対端面側領域４３における一端側領域１３０と一端側中間領域１３１との光反射部１２３の分布密度の差と、一端側中間領域１３１と第２中央側領域１２９との光反射部１２３の分布密度の差との差が、反対端面側中間領域４４における一端側領域１３０と一端側中間領域１３１との光反射部１２３の分布密度の差と、一端側中間領域１３１と第２中央側領域１２９との光反射部１２３の分布密度の差との差よりも大きくなり且つ第１中央側領域１２４における一端側領域１３０と一端側中間領域１３１との光反射部１２３の分布密度の差と、一端側中間領域１３１と第２中央側領域１２９との光反射部１２３の分布密度の差との差と同等となるとともに、反対端面側領域４３における他端側領域１３２と他端側中間領域１３３との光反射部１２３の分布密度の差と、他端側中間領域１３３と第２中央側領域１２９との光反射部１２３の分布密度の差との差が、反対端面側中間領域４４における他端側領域１３２と他端側中間領域１３３との光反射部１２３の分布密度の差と、他端側中間領域１３３と第２中央側領域１２９との光反射部１２３の分布密度の差との差よりも大きくなり且つ第１中央側領域１２４における他端側領域１３２と他端側中間領域１３３との光反射部１２３の分布密度の差と、他端側中間領域１３３と第２中央側領域１２９との光反射部１２３の分布密度の差との差と同等となるよう形成されている。このようにすれば、光入射面側領域４１及び光入射面側中間領域４２では、それぞれ一端側領域１３０（他端側領域１３２）と一端側中間領域１３１（他端側中間領域１３３）との間における光反射部１２３の分布密度の差と、一端側中間領域１３１（他端側中間領域１３３）と第２中央側領域１２９との間の光反射部１２３の分布密度の差との差が、第１中央側領域１２４及び反対端面側領域４３に比べて相対的に小さくなっているから、相対的に第２中央側領域１２９から一端側中間領域１３１（他端側中間領域１３３）を介して一端側領域１３０（他端側領域１３２）へと光が導入され難くなる。これにより、光入射面側領域４１及び光入射面側中間領域４２における一端側領域１３０（他端側領域１３２）においては、光反射パターンＬＲＰをなす光反射部１２３により反射された光が導光板１１９の光出射面１１９ａではない端面から出射されるのが抑制され、もって光の利用効率が高いものとされる。これに対し、第１中央側領域１２４及び反対端面側領域４３では、一端側領域１３０（他端側領域１３２）と一端側中間領域１３１（他端側中間領域１３３）との間における光反射部１２３の分布密度の差と、一端側中間領域１３１（他端側中間領域１３３）と第２中央側領域１２９との間の光反射部１２３の分布密度の差との差が、光入射面側領域４１、光入射面側中間領域４２及び反対端面側中間領域４４に比べて相対的に大きくなっているから、相対的に第２中央側領域１２９から一端側中間領域１３１（他端側中間領域１３３）を介して一端側領域１３０（他端側領域１３２）へと光が導入され易くなる。これにより、第１中央側領域１２４及び反対端面側領域４３における一端側領域１３０（他端側領域１３２）においては、光反射パターンＬＲＰをなす光反射部１２３により反射された光が効率的に光出射面１１９ａから出射されるので、光入射面側領域４１、光入射面側中間領域４２及び反対端面側中間領域４４との間に生じ得る輝度差が緩和され、もって輝度分布の均一性が高いものとなる。
【０１１９】
そして、反対端面側中間領域４４では、第１中央側領域１２４及び反対端面側領域４３に比べると、第２中央側領域１２９から一端側中間領域１３１（他端側中間領域１３３）を介して一端側領域１３０（他端側領域１３２）へと光が導入され難くなっているのに対し、反対端面側領域４３では、第２中央側領域１２９から一端側中間領域１３１（他端側中間領域１３３）を介して一端側領域１３０（他端側領域１３２）への光の導入のされ易さが第１中央側領域１２４と同等とされている。このうち、反対端面側領域４３における一端側領域１３０（他端側領域１３２）は、第１方向に沿う端面に加えて反対端面４０を有しているため、光反射部１２３により反射された光が外部に漏れ出し易くなっており、仮に一端側領域１３０（他端側領域１３２）と一端側中間領域１３１（他端側中間領域１３３）との間における光反射部１２３の分布密度の差と、一端側中間領域１３１（他端側中間領域１３３）と第２中央側領域１２９との間の光反射部１２３の分布密度の差との差を、第１中央側領域１２４及び反対端面側中間領域４４よりも大きくすると、光の利用効率が著しく悪化するおそれがある。その点、上記のように反対端面側領域４３と第１中央側領域１２４とで、一端側領域１３０（他端側領域１３２）と一端側中間領域１３１（他端側中間領域１３３）との間における光反射部１２３の分布密度の差と、一端側中間領域１３１（他端側中間領域１３３）と第２中央側領域１２９との間の光反射部１２３の分布密度の差との差を、同等にすることで、反対端面側領域４３における一端側領域１３０（他端側領域１３２）からの光の漏れ出し、つまり光の利用効率の低下を抑制しつつも、輝度分布の均一性を十分に確保することができる。しかも、反対端面側中間領域４４において第２中央側領域１２９から一端側中間領域１３１（他端側中間領域１３３）を介して一端側領域１３０（他端側領域１３２）へと光が導入され難くすることで、反対端面側領域４３において光量が不足しがちな一端側領域１３０（他端側領域１３２）へと光を十分に供給することができ、それにより輝度分布の均一性が高いものとなる。以上により、第１中央側領域１２４における一端側領域１３０、第２中央側領域１２９、及び他端側領域１３２と、光入射面側領域４１における一端側領域１３０、第２中央側領域１２９、及び他端側領域１３２と、反対端面側領域４３における一端側領域１３０、第２中央側領域１２９、及び他端側領域１３２と、の合計９領域において輝度分布の均一化が図られるので、当該導光板１１９を液晶表示装置用のバックライト装置１１２に用いた場合に、極めて高い表示品位を得ることが可能とされる。
【０１２０】
＜実施形態３＞
本発明の実施形態３を図１６から図１８によって説明する。この実施形態３では、上記した実施形態１から導光板２１９における一対の光入射面２２２の位置を短辺側に変更したものを示す。なお、上記した実施形態１と同様の構造、作用及び効果について重複する説明は省略する。
【０１２１】
本実施形態に係る導光板２１９は、図１６に示すように、外周端面のうち、対辺をなす一対の短辺側の端面である第３端面２１９ｄ及び第４端面２１９ｅがそれぞれＬＥＤ２１７からの光が入射される光入射面２２２とされている。従って、導光板２１９の外周端面のうち、対辺をなす一対の長辺側の端面である第１端面２１９ｂ及び第２端面２１９ｃがＬＥＤ２１７からの光が直接入射されることがないＬＥＤ非対向端面とされている。このため、本実施形態では、光入射面２２２を含まない第１端面２１９ｂ及び第２端面２１９ｃに沿うＸ軸方向が第１方向となり、光入射面２２２を含む第３端面２１９ｄ及び第４端面２１９ｅに沿うＹ軸方向が第２方向となる。なお、以下では、一対の光入射面２２２のうち図１６に示す左側のものを「第１光入射面」としてその符号に添え字Ａを付すのに対し、一対の光入射面２２２のうち図１６に示す右側のものを「第２光入射面」としてその符号に添え字Ｂを付すものとし、光入射面２２２を区別せずに総称する場合には、符号に添え字を付さないものとする。
【０１２２】
導光板２１９の反対板面２１９ｆにおける光反射パターンＬＲＰをなす光反射部２２３の具体的な分布は、図１７及び図１８に示される通りであり、これは上記した実施形態１と同様である。すなわち、反対板面２１９ｆにおける各領域２２４〜２３３に形成された光反射部２２３の各分布密度ＲＤａ〜ＲＤｉの分布は、上記した実施形態１に記載したもの（図８及び図９）からＸ軸方向とＹ軸方向との関係を入れ替えたものと等しく（同じ傾向と）なっている。従って、構成及び作用に関して重複する説明は割愛する。
【０１２３】
＜実施形態４＞
本発明の実施形態４を図１９から図２１によって説明する。この実施形態４では、上記した実施形態２から導光板３１９における光入射面３２２の位置を短辺側に変更したものを示す。なお、上記した実施形態２と同様の構造、作用及び効果について重複する説明は省略する。
【０１２４】
本実施形態に係る導光板３１９は、図１９に示すように、外周端面のうち、対辺をなす一対の短辺側の端面のうちの片方の短辺側の端面である第３端面３１９ｄのみが、ＬＥＤ３１７からの光が入射される光入射面３２２とされている。従って、導光板３１９の外周端面のうちの残りの３つの端面である第１端面３１９ｂ、第２端面３１９ｃ及び第４端面３１９ｅが全てＬＥＤ３１７からの光が直接入射されることがないＬＥＤ非対向端面とされている。このうち、第４端面３１９ｅは、光入射面３２２とは反対側に配された反対端面３４０を構成している。また、本実施形態では、光入射面３２２を含まない第１端面３１９ｂ及び第２端面３１９ｃに沿うＸ軸方向が第１方向となり、光入射面３２２を含む第３端面３１９ｄ及び第４端面３１９ｅに沿うＹ軸方向が第２方向となる。
【０１２５】
導光板３１９の反対板面３１９ｆにおける光反射パターンＬＲＰをなす光反射部３２３の具体的な分布は、図２０及び図２１に示される通りであり、これは上記した実施形態２と同様である。すなわち、反対板面３１９ｆにおける各領域３２４，３２９〜３３３，３４１〜３４４に形成された光反射部３２３の各分布密度ＲＤａ′〜ＲＤｉ′，ＲＤｊ〜ＲＤｏの分布は、上記した実施形態２に記載したもの（図１３及び図１４）からＸ軸方向とＹ軸方向との関係を入れ替えたものと等しく（同じ傾向と）なっている。従って、構成及び作用に関して重複する説明は割愛する。
【０１２６】
＜実施形態５＞
本発明の実施形態５を図２２または図２３によって説明する。この実施形態５では、光反射パターンＬＲＰをなす光反射部４２３の態様を変更したものを示す。なお、上記した実施形態１と同様の構造、作用及び効果について重複する説明は省略する。
【０１２７】
本実施形態に係る光反射パターンＬＲＰをなす光反射部４２３は、図２２及び図２３に示すように、導光板４１９の反対板面４１９ｆに対してレーザ光を照射することで形成される多数の反射溝部４２３ｂにより構成されている。反射溝部４２３ｂは、第１方向に沿って細長い溝状をなしており、反対端面４１９ｆの表面を凹ませることで形成されている。反射溝部４２３ｂは、第１方向に沿って多数が並んで配されており、その長さ方向の端部が隣り合う反射溝部４２３ｂの同端部に対して繋がっている。これは、反射溝部４２３ｂを形成するに際して、反対端面４１９ｆに対して対向状に配置したレーザ照射装置（図示せず）を第１方向に沿って相対変位させつつレーザ光を連続的に照射するようにしていることに起因する。反射溝部４２３ｂの幅寸法や長さ寸法は、レーザ照射装置の出力及びレーザ光の照射時間などを制御することで、適宜に調整することが可能とされる。反射溝部４２３ｂは、反対板面４１９ｆの面内における配置に応じて幅寸法や長さ寸法が変化するものの、深さ寸法及び配列ピッチに関しては一定とされる。反射溝部４２３ｂは、その面積（幅寸法や長さ寸法）が大きくなるほど、散乱反射する光量が多くなるので、光出射面からの出射光量が多くなり、逆に面積が小さくなるほど、散乱反射する光量が少なくなるので、光出射面からの出射光量が少なくなる。
【０１２８】
＜実施形態６＞
本発明の実施形態６を図２４または図２５によって説明する。この実施形態６では、光反射パターンＬＲＰをなす光反射部５２３の態様を変更したものを示す。なお、上記した実施形態１と同様の構造、作用及び効果について重複する説明は省略する。
【０１２９】
本実施形態に係る光反射パターンＬＲＰをなす光反射部５２３は、図２４及び図２５に示すように、導光板５１９の反対板面５１９ｆに対して金型の外形を転写することで形成される多数の反射凹部５２３ｃにより構成されている。反射凹部５２３ｃは、反対端面５１９ｆの表面を凹ませることで形成されている。反射凹部５２３ｃは、平面に視てほぼ円形状をなすとともに、反対板面５１９ｆの面内において千鳥状（ジグザグ状）に分散配置されており、同面内におけるＸ軸方向及びＹ軸方向の位置に応じてその径寸法（面積）が変化するものの、配列ピッチについてはほぼ一定とされている。つまり、反射凹部５２３ｃの平面形状及び平面配置は、上記した実施形態１に記載したドット２３ａと同様とされる。このような反射凹部５２３ｃを形成するに際しては、例えば表面に反射凹部５２３ｃとは逆の凸部が多数形成された金型（図示せず）を用意し、その金型を、反対板面５１９ｆの表面がフラットな状態とされた導光板５１９に対して高温環境下（例えば導光板５１９の材料の融点程度の環境下）で且つ圧力を作用させつつ押し当てるようにしている。これにより、導光板５１９の反対端面５１９ｆには、金型の凸部が転写されることで多数の反射凹部５２３ｃが形成される。反射凹部５２３ｃは、反対板面５１９ｆの面内における配置に応じて径寸法が変化するものの、深さ寸法及び配列ピッチに関しては一定とされる。反射凹部５２３ｃは、その面積（径寸法や深さ寸法）が大きくなるほど、散乱反射する光量が多くなるので、光出射面からの出射光量が多くなり、逆に面積が小さくなるほど、散乱反射する光量が少なくなるので、光出射面からの出射光量が少なくなる。
【０１３０】
＜実施形態７＞
本発明の実施形態７を図２６によって説明する。この実施形態７では、上記した実施形態６から反射凹部６２３ｃの形状を変更したものを示す。なお、上記した実施形態６と同様の構造、作用及び効果について重複する説明は省略する。
【０１３１】
本実施形態に係る光反射部６２３をなす反射凹部６２３ｃは、図２６に示すように、全体として円錐状をなしており、断面形状が二等辺三角形状となるよう形成されている。反射凹部６２３ｃの平面形状及び平面配置は、上記した実施形態６と同様である。反射凹部６２３ｃは、反対板面６１９ｆの面内における配置に応じて径寸法及び深さ寸法が変化するものの、配列ピッチが一定とされる。また、反射凹部６２３ｃは、その面積（径寸法や深さ寸法）が大きくなるほど、散乱反射する光量が多くなるので、光出射面からの出射光量が多くなり、逆に面積が小さくなるほど、散乱反射する光量が少なくなるので、光出射面からの出射光量が少なくなる。
【０１３２】
＜実施形態８＞
本発明の実施形態８を図２７から図２９によって説明する。この実施形態８では、上記した実施形態１から各ＬＥＤ基板７１８及び各ＬＥＤ７１７の配置などを変更したものを示す。なお、上記した実施形態１と同様の構造、作用及び効果について重複する説明は省略する。
【０１３３】
本実施形態に係る一対のＬＥＤ基板７１８及びそこに実装された各ＬＥＤ７１７は、図２７に示すように、導光板７１９の各光入射面７２２との間の距離が互いに異なるよう配置されている。なお、以下では、一対のＬＥＤ基板７１８及びそれらに実装されたＬＥＤ７１７のうち図２７に示す下側のものを「第１ＬＥＤ基板（第１光源基板）」及び「第１ＬＥＤ（第１光源）」としてそれぞれの符号に添え字Ａを付すのに対し、一対のＬＥＤ基板７１８及びそれらに実装されたＬＥＤ７１７のうち図２７に示す上側のものを「第２ＬＥＤ基板（第２光源基板）」及び「第２ＬＥＤ（第２光源）」としてそれぞれの符号に添え字Ｂを付すものとし、ＬＥＤ基板７１８及びＬＥＤ７１７をそれぞれ区別せずに総称する場合には、符号に添え字を付さないものとする。
【０１３４】
詳しくは、第１ＬＥＤ基板７１８Ａは、そこに実装された第１ＬＥＤ７１７Ａが、図２７に示すように、第１光入射面７２２Ａに近接した配置となるよう配されているのに対し、第２ＬＥＤ基板７１８Ｂは、そこに実装された第２ＬＥＤ７１７Ｂが、第２光入射面７２２Ｂとの間に相対的に大きな間隔を空けた配置となるよう配されている。このようにすれば、第１ＬＥＤ７１７Ａから導光板７１９の第１光入射面７２２Ａに入射する光の入射効率が相対的に高くなるのに対し、第２ＬＥＤ７１７Ｂから導光板７１９の第２光入射面７２２Ｂに入射する光の入射効率が相対的に低くなっている。ここで、本願発明者の研究によれば、各ＬＥＤ７１７と各光入射面７２２との間の距離が一定以上になると、距離の増加に伴う光の入射効率の低下が鈍化して定常化することから、第２ＬＥＤ７１７Ｂから導光板７１９の第２光入射面７２２Ｂに入射する光の入射効率は、第１ＬＥＤ７１７Ａから第１光入射面７２２Ａに入射する光の入射効率に比べると低くはなるものの、距離の増加に伴う光の入射効率の低下が鈍化しているため、所定の値で概ね下げ止まることになる。従って、例えば各ＬＥＤ７１７と各光入射面７２２との間の距離を等しくした場合の光の入射効率を基準としたとき、第１ＬＥＤ７１７Ａから第１光入射面７２２Ａに入射する光の入射効率が上記基準を上回る分の差分値が、第２ＬＥＤ７１７Ｂから第２光入射面７２２Ｂに入射する光の入射効率が上記基準を下回る分の差分値よりも大きくなる。これにより、各ＬＥＤ７１７と各光入射面７２２との間の距離を等しくした場合に比べると、全体としての光の利用効率を向上させることができる。
【０１３５】
また、本実施形態のバックライト装置には、導光板７１９に対して第１ＬＥＤ７１７Ａと同じ側に配され、導光板７１９の第１光入射面７２２Ａをなす第１端面７１９ｂに当接されることで導光板７１９を第１ＬＥＤ７１７Ａ側から支持する第１支持部４５と、導光板７１９に対して第２ＬＥＤ７１７Ｂと同じ側に間隔を空けて配され、導光板７１９が熱膨張した場合に第２光入射面７２２Ｂをなす第２端面７１９ｃに当接されることで導光板７１９を第２ＬＥＤ７１７Ｂ側から支持する第２支持部４６と、が備えられている。この第２支持部４６は、第１支持部４５よりも柔らかい材料で且つ弾性材料からなる。このようにすれば、導光板７１９は、第２支持部４６よりも硬い材質とされた第１支持部４５により第１ＬＥＤ７１７Ａ側から支持されるので、導光板７１９が安定的に支持され、それにより第１ＬＥＤ７１７Ａと第１光入射面７２２Ａとの位置関係を安定的に維持することができる。もって、第１ＬＥＤ７１７Ａと第１光入射面７２２Ａとの間の距離を極力短くすることができ、第１ＬＥＤ７１７Ａから第１光入射面７２２Ａに入射する光の入射効率を極めて高いものとすることができる。しかも、導光板７１９は、熱膨張した場合には、第２ＬＥＤ７１７Ｂと同じ側に間隔を空けて配された第２支持部４６が第２端面７１９ｃに当接されることで、第２ＬＥＤ７１７Ｂ側から支持される。この第２支持部４６は、第１支持部４５よりも柔らかい材料で且つ弾性材料からなることから、仮に第２支持部を第１支持部４５と同じ硬さの材質とした場合に比べると、導光板７１９の第２端面７１９ｃとの間に有される間隔を狭くすることができる。すなわち、仮に第２支持部を第１支持部４５と同じ硬さの材質とした場合には、導光板７１９の第２端面７１９ｃとの間に有される間隔を設定するに際して、導光板７１９に生じ得る寸法誤差を考慮して一定の余裕を持った大きさとする必要があるのに対し、第２支持部４６を第１支持部４５よりも柔らかく且つ弾性材料からなるものとすれば、熱膨張した導光板７１９の第２端面７１９ｃが第２支持部４６に当接したときに第２支持部４６が弾性変形するので、寸法誤差によって導光板７１９が標準の寸法よりも多少大きくなっていても、その誤差分を吸収することができる。これにより、第２支持部４６を導光板７１９に対してより近い位置に配することができるので、熱膨張した導光板をより安定的に支持することができる。
【０１３６】
上記のように第１ＬＥＤ基板７１８Ａ及び第１ＬＥＤ７１７Ａと第１光入射面７２２Ａとの間の距離と、第２ＬＥＤ基板７１８Ｂ及び第２ＬＥＤ７１７Ｂと第２光入射面７２２Ｂとの間の距離と、を異ならせる配置とするのに伴い、光反射パターンＬＲＰをなす光反射部７２３は、図２８及び図２９に示されるような分布とされる。先に、第１方向についての光反射パターンＬＲＰの分布について説明すると、第２方向について区分された各領域７２９〜７３３では、図２８に示すように、第１方向について第２光入射面側中間領域７２８において最も光反射部７２３の分布密度が高く、そこから第１中央側領域７２４及び第２光入射面側領域７２７、第１光入射面側中間領域７２６、第１光入射面側領域７２５の順で光反射部７２３の分布密度が低くなっている。各領域７２９〜７３３において、第１中央側領域７２４及び第２光入射面側領域７２７における光反射部７２３の分布密度が等しくされている。つまり、光反射パターンＬＲＰは、光反射部７２３が第１方向について非対称をなす分布となるよう形成されている。第１方向についての光反射部７２３の分布密度の変化率（図２８に示されるグラフの傾き、隣り合う領域７２４〜７２８間の光反射部７２３の分布密度の差）に関しては、各端側領域７３０，７３２における同変化率が、第１方向について全域にわたって、第２中央側領域７２９及び各端側中間領域７３１，７３３における同変化率よりも大きくなっている。詳しくは、第２中央側領域７２９における第１光入射面側領域７２５から第１光入射面側中間領域７２６までの同変化率が最も小さく、その次に各端側中間領域７３１，７３３における第１光入射面側領域７２５から第１光入射面側中間領域７２６までの同変化率が小さくなっている。その次に小さいのが、第２中央側領域７２９における第１中央側領域７２４から第２光入射面側中間領域７２８までの同変化率と、同じく第２光入射面側中間領域７２８から第２光入射面側領域７２７までの同変化率と、各端側中間領域７３１，７３３における第１中央側領域７２４から第２光入射面側中間領域７２８までの同変化率と、同じく第２光入射面側中間領域７２８から第２光入射面側領域７２７までの同変化率と、であり、これらが互いに等しくなっている。その次に小さいのが、第２中央側領域７２９における第１光入射面側中間領域７２６から第１中央側領域７２４までの同変化率と、各端側中間領域７３１，７３３における第１光入射面側中間領域７２６から第１中央側領域７２４までの同変化率と、各端側領域７３０，７３２における第１光入射面側領域７２５から第１光入射面側中間領域７２６までの同変化率と、であり、これらが互いに等しくなっている。その次に小さいのが、各端側領域７３０，７３２における第１光入射面側中間領域７２６から第１中央側領域７２４までの同変化率である。そして、最も大きいのが、各端側領域７３０，７３２における第１中央側領域７２４から第２光入射面側中間領域７２８までの同変化率と、同じく第２光入射面側中間領域７２８から第２光入射面側領域７２７までの同変化率と、であり、これらが互いに等しくなっている。
【０１３７】
次に、第２方向についての光反射パターンＬＲＰの分布について説明する。第１方向について区分された各領域７２４〜７２８では、図２９に示すように、第２方向について第２中央側領域７２９において最も光反射部７２３の分布密度が低く、そこから各端側中間領域７３１，７３３、各端側領域７３０，７３２の順で光反射部７２３の分布密度が高くなっている。各領域７２４〜７２８において、一端側領域７３０及び他端側中間領域７３３における光反射部７２３の分布密度が等しくされ、一端側中間領域７３１及び他端側中間領域７３３における光反射部７２３の分布密度が等しくされている。つまり、光反射パターンＬＲＰは、光反射部７２３が第２方向について対称をなす分布となるよう形成されている。第２方向についての光反射部７２３の分布密度の変化率（図２９に示されるグラフの傾き、隣り合う領域７２９〜７３３間の光反射部７２３の分布密度の差）に関しては、第２光入射面側中間領域７２８における同変化率が、第１中央側領域７２４、第１光入射面側中間領域７２６及び各光入射面側領域７２５，７２７における同変化率よりも概して大きくなっている。詳しくは、第１光入射面側領域７２５における第２中央側領域７２９から各端側中間領域７３１，７３３までの同変化率が最も小さく、その次に第１光入射面側領域７２５における各端側中間領域７３１，７３３から各端側領域７３０，７３２までの同変化率が小さくなっている。その次に小さいのが、第１光入射面側中間領域７２６における第２中央側領域７２９から各端側中間領域７３１，７３３までの同変化率と、第１中央側領域７２４及び第２光入射面側領域７２７におけるそれぞれの第２中央側領域７２９から各端側中間領域７３１，７３３までの同変化率と、第２光入射面側中間領域７２８における第２中央側領域７２９から各端側中間領域７３１，７３３までの同変化率と、であり、これらは互いにほぼ等しくなっている。その次に小さいのが、第１光入射面側中間領域７２６における各端側中間領域７３１，７３３から各端側領域７３０，７３２までの同変化率とされる。その次に小さいのが、第１中央側領域７２４及び第２光入射面側領域７２７におけるそれぞれの各端側中間領域７３１，７３３から各端側領域７３０，７３２までの同変化率である。そして、最も大きいのが、第２光入射面側中間領域７２８における各端側中間領域７３１，７３３から各端側領域７３０，７３２までの同変化率とされる。
【０１３８】
図２８及び図２９に示される光反射パターンＬＲＰの分布は、次に示される式（２２）〜（２８）を満たすものとされる。ここでは、第１中央側領域７２４における光反射部７２３の分布密度を、第２方向について各端側領域７３０，７３２、各端側中間領域７３１，７３３、第２中央側領域７２９の順でそれぞれＲＤａ′′，ＲＤｂ′′，ＲＤｃ′′とし、第１光入射面側領域７２５における光反射部７２３の分布密度を、第２方向について各端側領域７３０，７３２、各端側中間領域７３１，７３３、第２中央側領域７２９の順でそれぞれＲＤｄ′′，ＲＤｅ′′，ＲＤｆ′′とし、第１光入射面側中間領域７２６における光反射部７２３の分布密度を、第２方向について各端側領域７３０，７３２、各端側中間領域７３１，７３３、第２中央側領域７２９の順でそれぞれＲＤｇ′′，ＲＤｈ′′，ＲＤｉ′′とし、第２光入射面側領域７２７における光反射部７２３の分布密度を、第２方向について各端側領域７３０，７３２、各端側中間領域７３１，７３３、第２中央側領域７２９の順でそれぞれＲＤｐ，ＲＤｑ，ＲＤｒとし、第２光入射面側中間領域７２８における光反射部７２３の分布密度を、第２方向について各端側領域７３０，７３２、各端側中間領域７３１，７３３、第２中央側領域７２９の順でそれぞれＲＤｓ，ＲＤｔ，ＲＤｕとしている。
【０１３９】
（ＲＤｂ′′−ＲＤｃ′′）＜（ＲＤａ′′−ＲＤｂ′′）          （２２）
【０１４０】
（ＲＤｅ′′−ＲＤｆ′′）＜（ＲＤｄ′′−ＲＤｅ′′）          （２３）
【０１４１】
（ＲＤｈ′′−ＲＤｉ′′）＜（ＲＤｇ′′−ＲＤｈ′′）          （２４）
【０１４２】
（ＲＤｐ−ＲＤｑ）＜（ＲＤｑ−ＲＤｒ）          （２５）
【０１４３】
（ＲＤｔ−ＲＤｕ）＜（ＲＤｓ−ＲＤｔ）          （２６）
【０１４４】
（（ＲＤａ′′−ＲＤｂ′′）−（ＲＤｂ′′−ＲＤｃ′′））＜（（ＲＤｓ−ＲＤｔ）−（ＲＤｔ−ＲＤｕ））          （２７）
【０１４５】
（（ＲＤｐ−ＲＤｑ）−（ＲＤｑ−ＲＤｒ））＜（（ＲＤｓ−ＲＤｔ）−（ＲＤｔ−ＲＤｕ））          （２８）
【０１４６】
上記した式（２２）〜（２６）によれば、第１中央側領域７２４における各端側領域７３０，７３２の光反射部７２３の分布密度ＲＤａと各端側中間領域７３１，７３３の同分布密度ＲＤｂとの差が、各端側中間領域７３１，７３３の同分布密度ＲＤｂと第２中央側領域７２９の同分布密度ＲＤｃとの差よりも大きく、第１光入射面側領域７２５における各端側領域７３０，７３２の光反射部７２３の分布密度ＲＤｄ′′と各端側中間領域７３１，７３３の同分布密度ＲＤｅ′′との差が、各端側中間領域７３１，７３３の同分布密度ＲＤｅ′′と第２中央側領域７２９の同分布密度ＲＤｆ′′との差よりも大きく、第１光入射面側中間領域７２６における各端側領域７３０，７３２の光反射部７２３の分布密度ＲＤｇ′′と各端側中間領域７３１，７３３の同分布密度ＲＤｈ′′との差が、各端側中間領域７３１，７３３の同分布密度ＲＤｈ′′と第２中央側領域７２９の同分布密度ＲＤｉ′′との差よりも大きく、第２光入射面側領域７２７における各端側領域７３０，７３２の光反射部７２３の分布密度ＲＤｐと各端側中間領域７３１，７３３の同分布密度ＲＤｑとの差が、各端側中間領域７３１，７３３の同分布密度ＲＤｑと第２中央側領域７２９の同分布密度ＲＤｒとの差よりも大きく、第２光入射面側中間領域７２８における各端側領域７３０，７３２の光反射部７２３の分布密度ＲＤｓと各端側中間領域７３１，７３３の同分布密度ＲＤｔとの差が、各端側中間領域７３１，７３３の同分布密度ＲＤｔと第２中央側領域７２９の同分布密度ＲＤｕとの差よりも大きいことが分かる。そして、上記した式（２７），（２８）によれば、第２光入射面側中間領域７２８における各端側領域７３０，７３２の光反射部７２３の分布密度ＲＤｓと各端側中間領域７３１，７３３の同分布密度ＲＤｔとの差と、各端側中間領域７３１，７３３の同分布密度ＲＤｔと第２中央側領域７２９の同分布密度ＲＤｕとの差との差（式（２７），（２８）の右辺）が、第１中央側領域７２４における各端側領域７３０，７３２の同分布密度ＲＤａ′′と各端側中間領域７３１，７３３の同分布密度ＲＤｂ′′との差と、各端側中間領域７３１，７３３の同分布密度ＲＤｂ′′と第２中央側領域７２９の同分布密度ＲＤｃ′′との差との差（式（２７）の左辺）、第２光入射面側領域７２７における各端側領域７３０，７３２の同分布密度ＲＤｐと各端側中間領域７３１，７３３の同分布密度ＲＤｑとの差と、各端側中間領域７３１，７３３の同分布密度ＲＤｑと第２中央側領域７２９の同分布密度ＲＤｒとの差との差（式（２８）の左辺）、よりも大きく、最大とされることが分かる。このような構成により、上記した実施形態１と同様の作用及び効果を得ることができる。
【０１４７】
＜他の実施形態＞
本発明は上記記述及び図面によって説明した実施形態に限定されるものではなく、例えば次のような実施形態も本発明の技術的範囲に含まれる。
（１）上記した各実施形態（実施形態５〜７を除く）では、光反射部をなすドットの径寸法を変化させることで、光反射パターンの分布を制御するものを示したが、それ以外にも、例えば、図３０に示すように、ドット２３ａ−１の径寸法を一定とし、ドット２３ａ−１の配列ピッチを変化させることで、光反射パターンの分布を制御するようにしてもよい。
【０１４８】
（２）上記した（１）以外にも、例えば、図３１に示すように、ドット２３ａ−２の径寸法と配列ピッチとを共に変化させることで、光反射パターンの分布を制御するようにしてもよい。
【０１４９】
（３）上記した（１），（２）に記載した手法を上記した実施形態５〜８に記載した光反射部に適用することも勿論可能である。
【０１５０】
（４）上記した実施形態２において、反対端面側中間領域における第２方向についての端側領域と中央側領域との間の光反射部の分布密度の差は、光入射面側中間領域における第２方向についての端側領域と中央側領域との間の光反射部の分布密度の差よりも大きくすることができ、逆に小さくすることも可能である。
【０１５１】
（５）上記した各実施形態において、反対板面をなす各領域における光反射部の分布密度の具体的な値は適宜に変更可能である。同様に第２方向について隣り合う各領域間における光反射部の分布密度の差に関する具体的な値についても適宜に変更可能である。また、第１方向について隣り合う各領域間における光反射部の分布密度の差に関する具体的な値についても適宜に変更可能である。
【０１５２】
（６）上記した（５）のように、反対板面をなす各領域における光反射部の分布密度の具体的な値や、隣り合う各領域間における光反射部の分布密度の差に関する具体的な値は、ＬＥＤと光入射面との間の距離、ＬＥＤの光学性能（輝度など）、などを勘案して適宜に設定することが可能である。
【０１５３】
（７）上記した各実施形態では、導光板の反対板面を合計２５の領域に区分したり、合計９の領域に区分したときの、各領域の光反射部の分布密度に関して説明したが、導光板の反対板面の具体的な区分数については適宜に変更可能である。
【０１５４】
（８）上記した各実施形態では、光反射部をなすドット（反射溝部、反射凹部）が反対板面の面内において千鳥状に分散配置された場合を示したが、それ以外にも、例えば、ドット（反射溝部、反射凹部）を格子状に分散配置することも可能である。
【０１５５】
（９）上記した各実施形態では、光反射部をなすドット（反射凹部）が平面に視て円形状をなす構成のものを示したが、それ以外にも、例えばドット（反射凹部）を平面に視て楕円形状、三角形状、四角形状、五角形以上の多角形状、台形状などとすることも可能である。
【０１５６】
（１０）上記した実施形態５，６において、光反射部をなす反射溝部及び反射凹部について、反対板面の面内の配置に応じて深さ寸法を変化させるようにしてもよい。
【０１５７】
（１１）上記した実施形態５では、光反射部をなす反射溝部が第２方向に沿って延在する形状のものを例示したが、反射溝部を第１方向に沿って延在する形状としたり、第１方向及び第２方向の双方に対して傾いた方向に沿って延在する形状とすることも可能である。
【０１５８】
（１２）上記した実施形態５では、隣り合う反射溝部の端部同士が繋がる構成のものを例示したが、隣り合う反射溝部の端部同士が繋がらず、各反射溝部が相互に分離独立した構成としたものにも本発明は適用可能である。
【０１５９】
（１３）上記した実施形態５では、反射溝部が平面に視て細長い形状とされるものを例示したが、それに限らず、例えば反射溝部を平面に視て円形状などとすることも可能である。
【０１６０】
（１４）上記した各実施形態以外にも、光反射パターンをなす光反射部の具体的な形成方法及び構造については適宜に変更可能である。
【０１６１】
（１５）上記した各実施形態では、導光板の１つの端面に対して１枚のＬＥＤ基板を対向状に配置したものを例示したが、導光板の１つの端面に対して複数枚のＬＥＤ基板を対向状に配置することも可能である。
【０１６２】
（１６）上記した各実施形態では、光源としてＬＥＤを用いたものを示したが、有機ＥＬ、冷陰極管、熱陰極管などの他の光源を用いることも可能である。
【０１６３】
（１７）上記した各実施形態では、液晶パネルが有するカラーフィルタの着色部をＲ，Ｇ，Ｂの３色としたものを例示したが、着色部を４色以上とすることも可能である。
【０１６４】
（１８）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１６５】
（１９）上記した各実施形態では、表示パネルとして液晶パネルを用いた液晶表示装置を例示したが、他の種類の表示パネルを用いた表示装置にも本発明は適用可能である。
【０１６６】
（２０）上記した各実施形態では、チューナを備えたテレビ受信装置を例示したが、チューナを備えない表示装置にも本発明は適用可能である。具体的には、電子看板（デジタルサイネージ）や電子黒板として使用される液晶表示装置にも本発明は適用することができる。
【符号の説明】
【０１６７】
１０…液晶表示装置（表示装置）、１１…液晶パネル（表示パネル）、１２，１１２…バックライト装置（照明装置）、１７，１１７，２１７，３１７，７１７…ＬＥＤ（光源）、１９，１１９，２１９，３１９，４１９，５１９，６１９，７１９…導光板、１９ａ，１１９ａ…光出射面、１９ｂ，１１９ｂ，２１９ｂ，３１９ｂ，７１９ｂ…第１端面（光入射面を含む一対の端面）、１９ｃ，１１９ｃ，２１９ｃ，３１９ｃ，７１９ｃ…第２端面（光入射面を含む一対の端面）、１９ｄ，１１９ｄ，２１９ｄ，３１９ｄ…第３端面（光入射面を含まない一対の端面）、１９ｅ，１１９ｅ，２１９ｅ，３１９ｅ…第４端面（光入射面を含まない一対の端面）、１９ｆ，１１９ｆ，２１９ｆ，３１９ｆ，４１９ｆ，５１９ｆ，６１９ｆ…反対板面、２２，１２２，２２２，３２２，７２２…光入射面、２２Ａ，２２２Ａ，７２２Ａ…第１光入射面、２２Ｂ，２２２Ｂ，７２２Ｂ…第２光入射面、２３，１２３，２２３，３２３，４２３，５２３，６２３，７２３…光反射部、２３ａ，１２３ａ…ドット、２４，１２４，２２４，３２４，７２４…第１中央側領域、２５，２２５，７２５…第１光入射面側領域、２６，２２６，７２６…第１光入射面側中間領域、２７，２２７，７２７…第２光入射面側領域、２８，２２８，７２８…第２光入射面側中間領域、２９，１２９，２２９，３２９，７２９…第２中央側領域、３０，１３０，２３０，３３０，７３０…一端側領域、３１，１３１，２３１，３３１，７３１…一端側中間領域、３２，１３２，２３２，３３２，７３２…他端側領域、３３，１３３，２３３，３３３，７３３…他端側中間領域、３４，１３４…中央側の領域、３５，１３５…第１光入射面に近い端側の領域、３６，１３６…第２光入射面に近い端側の領域、４０…反対端面、４１，３４１…光入射面側領域、４２，３４２…光入射面側中間領域、４３，３４３…反対端面側領域、４４，３４４…反対端面側中間領域、ＬＲＰ…光反射パターン、ＴＶ…テレビ受信装置
【要約】
【課題】特殊な部材を用いることなく輝度分布の均一性を向上させる。
【解決手段】導光板１９は、光入射面２２と、光出射面１９ａと、反対板面１９ｆと、反対板面１９ｆに形成される光反射部２３からなり、第２方向について中央側の領域よりも第２方向について端側の領域の方が光反射部２３の分布密度が相対的に高く、第１方向について光入射面２２に近い端側の領域よりも第１方向について中央側の領域の方が光反射部２３の分布密度が相対的に高く、第１方向について中央側の領域における第２方向についての端側の領域と同中央側の領域との光反射部２３の分布密度の差が、第１方向について光入射面２２に近い端側の領域における第２方向についての端側の領域と同中央側の領域との光反射部２３の分布密度の差よりも相対的に大きくなる分布の光反射パターンＬＲＰと、を備える。
【選択図】図６【図１】
0005621015.tif 000002
【図２】
0005621015.tif 000003
【図３】
0005621015.tif 000004
【図４】
0005621015.tif 000005
【図５】
0005621015.tif 000006
【図６】
0005621015.tif 000007
【図７】
0005621015.tif 000008
【図８】
0005621015.tif 000009
【図９】
0005621015.tif 000010
【図１０】
0005621015.tif 000011
【図１１】
0005621015.tif 000012
【図１２】
0005621015.tif 000013
【図１３】
0005621015.tif 000014
【図１４】
0005621015.tif 000015
【図１５】
0005621015.tif 000016
【図１６】
0005621015.tif 000017
【図１７】
0005621015.tif 000018
【図１８】
0005621015.tif 000019
【図１９】
0005621015.tif 000020
【図２０】
0005621015.tif 000021
【図２１】
0005621015.tif 000022
【図２２】
0005621015.tif 000023
【図２３】
0005621015.tif 000024
【図２４】
0005621015.tif 000025
【図２５】
0005621015.tif 000026
【図２６】
0005621015.tif 000027
【図２７】
0005621015.tif 000028
【図２８】
0005621015.tif 000029
【図２９】
0005621015.tif 000030
【図３０】
0005621015.tif 000031
【図３１】
0005621015.tif 000032